(57)【特許請求の範囲】
【請求項１】
ワイヤレス通信の方法において、
通信インターフェースからワイヤレスネットワーク内で動作しているユーザ機器に向けて、地理領域を規定しているデータを転送することと、
前記通信インターフェースから前記ユーザ機器に向けて、トリガポリシーを転送することと、
前記通信インターフェースから前記ユーザ機器に向けて、前記ユーザ機器が報告領域内に存在しているときに前記トリガポリシーにしたがって１セットの信号測定値を前記ユーザ機器にアップロードさせる前記報告領域を規定しているデータを転送することとを含み、
前記地理領域は、前記報告領域と少なくとも部分的に異なっており、
前記地理領域を規定している前記データは、前記ワイヤレスネットワークのインフラストラクチャから独立している地理座標により前記地理領域を規定しており、
前記ユーザ機器は、前記ワイヤレスネットワークの信号測定値を記録またはログ記録し前記１セットの信号測定値を発生させるために、前記ユーザ機器が前記地理領域内に存在しているときに、前記トリガポリシーを実現する方法。
【請求項２】
前記通信インターフェースを用いて、前記ワイヤレスネットワークの基地局を通して、前記データと前記トリガポリシーとを前記ユーザ機器に向けて転送することをさらに含む請求項１記載の方法。
【請求項３】
前記ユーザ機器によって送信された前記信号測定値を受信することをさらに含み、前記信号測定値は、前記ユーザ機器が前記地理領域内に存在しているときに前記ユーザ機器によって測定された、前記ワイヤレスネットワークの信号の強度または品質を含む請求項１記載の方法。
【請求項４】
前記トリガポリシーは、前記ユーザ機器に対する明示的なコマンド、または、前記地理領域を規定している前記データを前記ユーザ機器に向けて転送することに基づく暗黙的なコマンドである請求項１記載の方法。
【請求項５】
前記トリガポリシーは、前記ユーザ機器が前記地理領域内に存在していることに加えて、前記ワイヤレスネットワークの信号測定値を前記ユーザ機器に記録またはログ記録をさせる際の１つ以上の条件を指定し、
前記１つ以上の条件は、利用可能なバッテリーのエネルギー、利用可能な記憶容量、利用可能なメモリ容量、または時間を含む請求項１記載の方法。
【請求項６】
前記通信インターフェースを用いて、前記ワイヤレスネットワークに関連するワイヤレス管理ネットワークから、前記地理領域を規定している前記データを取得することをさらに含む請求項１記載の方法。
【請求項７】
地理ポジショニングシステムの座標、または、
地理的な、緯度および経度の座標、のうちの少なくとも１つを前記地理座標に対して用いることをさらに含む請求項１記載の方法。
【請求項８】
前記ワイヤレスネットワークの拡張制御プレーンプロトコルを用いて、前記地理領域を規定している前記データを、または、前記トリガポリシーを前記ユーザ機器に向けて転送することをさらに含む請求項１記載の方法。
【請求項９】
前記地理領域を規定している前記データまたは前記トリガポリシーを含めるようにと、前記ユーザ機器に向けて転送するように構成されている、前記ワイヤレスネットワークのユーザプレーンプロトコルを用いることをさらに含む請求項１記載の方法。
【請求項１０】
ネットワークサーバアプリケーションを開始して、前記地理領域を規定している前記データまたは前記トリガポリシーを含む１セットのユーザプレーンデータパケットを発生させ、前記１セットのユーザプレーンデータパケットを前記ユーザ機器に送り、前記１セットの信号測定値を含む１セットのアップロードされたデータパケットを前記ユーザ機器から受信することをさらに含む請求項９記載の方法。
【請求項１１】
前記１セットの信号測定値をアップロードすることは、前記ユーザ機器が前記報告領域内に存在しているときに、前記トリガポリシーにしたがい、自動的である請求項１記載の方法。
【請求項１２】
ワイヤレス通信のために構成されている装置において、
ワイヤレス管理ネットワークとの、および、ワイヤレストランシーバとの電子通信のための通信インターフェースと、
前記ワイヤレストランシーバを通して、ユーザ機器にデータを送るための、および、前記ユーザ機器からデータを受信するためのワイヤレスプロトコルを記憶するメモリと、
前記ワイヤレスプロトコルを実現するように構成されているモジュールを実行するデータプロセッサとを具備し、
前記モジュールは、
地理領域を規定している１セットの地理データと、報告領域を規定している１セットの報告データとを、取得または発生させるデータ管理モジュールと、
前記ワイヤレストランシーバを通して、前記１セットの地理データと前記１セットの報告データとを含むトリガポリシーを前記ユーザ機器に送り、前記トリガポリシーにしたがって、前記ユーザ機器が前記地理領域内に存在しているときにワイヤレスネットワーク信号の１セットの測定値を前記ユーザ機器に記録させ、そして前記ユーザ機器が前記報告領域内に存在しているときに前記１セットの測定値を前記ユーザ機器にアップロードさせるコマンドモジュールとを備え、
前記地理領域は、前記報告領域と少なくとも部分的に異なっている装置。
【請求項１３】
前記ワイヤレストランシーバが前記報告領域内に存在している場合、前記ワイヤレストランシーバを通して、前記１セットの測定値を前記ユーザ機器から取得する受信モジュールをさらに備える請求項１２記載の装置。
【請求項１４】
前記地理領域を規定している前記１セットの地理データは、
グローバルポジショニングシステムの座標、
緯度および経度の座標、または、
ワイヤレスネットワークの１セットの基地局の識別子、のうちの少なくとも１つを含む請求項１２記載の装置。
【請求項１５】
前記報告領域を規定している前記１セットの報告データは、
グローバルポジショニングシステムの座標、
緯度および経度の座標、または、
前記ワイヤレストランシーバの基地局の識別子を含む１セットの基地局の識別子、のうちの少なくとも１つを含む請求項１２記載の装置。
【請求項１６】
前記１セットの報告データは、好ましい報告領域とデフォルト報告領域とを規定しており、さらに、
好ましい報告時間の満了の前には、前記ユーザ機器が前記好ましい報告領域内に存在している以外は、前記ユーザ機器は、前記１セットの測定値をアップロードすることをやめ、
前記好ましい報告時間が満了している場合には、前記ユーザ機器は、前記デフォルト報告領域内のどこかに存在していれば、前記１セットの測定値をアップロードする請求項１２記載の装置。
【請求項１７】
前記コマンドモジュールは、前記１セットの地理データと前記１セットの報告データとを、アプリケーションデータパケットに埋め込み、ユーザプレーンプロトコルを用いて、前記アプリケーションデータパケットを前記ユーザ機器に送るサーバアプリケーションをさらに備える請求項１２記載の装置。
【請求項１８】
前記コマンドモジュールは、制御プレーンプロトコルを用いて、前記１セットの地理データと前記１セットの報告データとを前記ユーザ機器に送る請求項１２記載の装置。
【請求項１９】
前記コマンドモジュールは、
前記ワイヤレストランシーバとのアクティブなワイヤレス接続を前記ユーザ機器が有している場合には、ユニキャストメッセージを用いて、前記１セットの地理データと前記１セットの報告データとを前記ユーザ機器に送る、または、
前記ユーザ機器がアイドル状態中である場合には、ブロードキャストメッセージを用いて、前記１セットの地理データと前記１セットの報告データとを前記ユーザ機器に送る請求項１８記載の装置。
【請求項２０】
前記ユーザ機器のロケーション識別能力を決定するために前記ユーザ機器に問い合わせて、前記ロケーション識別能力に関する応答を前記ユーザ機器から取得するバージョンモジュールをさらに備える請求項１２記載の装置。
【請求項２１】
前記データ管理モジュールは、前記１セットの地理データを、前記ユーザ機器のロケーション識別能力と一致したフォーマットに変換する請求項２０記載の装置。
【請求項２２】
前記フォーマットは、
前記ユーザ機器のロケーション識別能力がグローバルポジショニングシステム解析を含む場合には、グローバルポジショニングシステムの座標、
前記ユーザ機器のロケーション識別能力が緯度および経度の解析を含む場合には、緯度および経度の座標、または、
前記ユーザ機器のロケーション識別能力がネットワークベースのポジショニングに限定される場合には、前記地理領域の少なくともサブセットを担当する１セットの基地局の識別子、のうちの少なくとも１つを含む請求項２１記載の装置。
【請求項２３】
前記ユーザ機器が前記報告領域内に存在しているときに、前記トリガポリシーにしたがって、前記ユーザ機器は前記１セットの測定値を自動的にアップロードする請求項１２記載の装置。
【請求項２４】
ワイヤレス通信のために構成されている装置において、
通信インターフェースを通して、ワイヤレスネットワーク内で動作しているユーザ機器に向けて、地理領域を規定しているデータを転送する手段と、
前記ユーザ機器が前記地理領域内に存在しているときに、トリガポリシーにしたがって前記ワイヤレスネットワークの信号測定値を前記ユーザ機器に記録またはログ記録をさせ、前記ユーザ機器に１セットの信号測定値を発生させる前記トリガポリシーを、前記通信インターフェースを通して前記ユーザ機器に向けて転送する手段と、
前記ユーザ機器が報告領域内に存在しているときに前記トリガポリシーにしたがって前記１セットの信号測定値を前記ユーザ機器にアップロードさせる前記報告領域を規定しているデータを、前記通信インターフェースを通して前記ユーザ機器に向けて転送する手段とを具備し、
前記地理領域は、前記報告領域と少なくとも部分的に異なっており、
前記地理領域を規定している前記データは、前記ワイヤレスネットワークのインフラストラクチャから独立して前記地理領域を規定している装置。
【請求項２５】
前記通信インターフェースを用いて、前記ワイヤレスネットワークの基地局を通して、前記データと前記トリガポリシーとを前記ユーザ機器に向けて転送する手段をさらに具備する請求項２４記載の装置。
【請求項２６】
前記ユーザ機器によって送信された前記信号測定値を受信する手段をさらに具備し、前記信号測定値は、前記ユーザ機器が前記地理領域内に存在しているときに前記ユーザ機器によって測定された、前記ワイヤレスネットワークの信号の強度または品質を含む請求項２４記載の装置。
【請求項２７】
前記トリガポリシーは、前記ユーザ機器に対する明示的なコマンド、または、前記地理領域を規定している前記データを前記ユーザ機器に向けて転送することに基づく暗黙的なコマンドである請求項２４記載の装置。
【請求項２８】
前記通信インターフェースを通して、前記報告領域を規定している前記データを前記ユーザ機器に向けて転送することは、前記ユーザ機器が前記報告領域内に存在しているときに、前記トリガポリシーにしたがって前記１セットの信号測定値を前記ユーザ機器に自動的にアップロードさせる請求項２４記載の装置。
【請求項２９】
ワイヤレス通信のために構成されている少なくとも１つのデータプロセッサにおいて、
ワイヤレスネットワーク内で動作しているユーザ機器に向けて、地理領域を規定しているデータを転送するモジュールと、
前記ユーザ機器が前記地理領域内に存在しているときに前記ワイヤレスネットワークの信号測定値を前記ユーザ機器に記録またはログ記録をさせ、前記ユーザ機器に１セットの信号測定値を発生させるトリガポリシーを、前記ユーザ機器に向けて転送するモジュールと、
前記ユーザ機器が報告領域内に存在しているときに前記トリガポリシーにしたがって前記１セットの信号測定値を前記ユーザ機器にアップロードさせる前記報告領域を規定しているデータを、前記ユーザ機器に向けて、転送するモジュールとを具備し、
前記地理領域は、前記報告領域と少なくとも部分的に異なっており、
前記地理領域を規定している前記データは、前記ワイヤレスネットワークのインフラストラクチャから独立して前記地理領域を規定している少なくとも１つのデータプロセッサ。
【請求項３０】
コンピュータ読み取り可能記憶媒体において、
ワイヤレスネットワーク内で動作しているユーザ機器に向けて、地理領域を規定しているデータをコンピュータに転送させるためのコードと、
前記ユーザ機器が前記地理領域内に存在しているときに前記ワイヤレスネットワークの信号測定値を前記ユーザ機器に記録またはログ記録をさせ、前記ユーザ機器に１セットの信号測定値を発生させるトリガポリシーを、前記ユーザ機器に向けて前記コンピュータに転送させるためのコードと、
前記ユーザ機器が報告領域内に存在しているときに前記トリガポリシーにしたがって前記１セットの信号測定値を前記ユーザ機器にアップロードさせる前記報告領域を規定しているデータを、前記ユーザ機器に向けて、前記コンピュータに転送させるためのコードとを含み、
前記地理領域は、前記報告領域と少なくとも部分的に異なっており、
前記地理領域を規定している前記データは、前記ワイヤレスネットワークのインフラストラクチャから独立して前記地理領域を規定しているコンピュータ読み取り可能記憶媒体。
【請求項３１】
ワイヤレス通信の方法において、
ワイヤレストランシーバを介して、ワイヤレスネットワークの基地局インフラストラクチャから独立して地理領域を規定している１セットの地理データを含むトリガポリシーを取得することと、
データプロセッサにより、ユーザ機器のロケーションを示しているデータを解析し、前記ロケーションを前記地理領域と比較することと、
前記ユーザ機器が前記地理領域内に存在している場合には、前記データプロセッサにより、前記ワイヤレスネットワークの信号解析測定を開始し、前記ワイヤレスネットワークにアップロードするために１セットの信号測定値を記録することと、
前記ユーザ機器が報告領域内に存在しているときに前記トリガポリシーにしたがって前記１セットの信号測定値をアップロードするために、前記ワイヤレストランシーバを介して、前記ワイヤレスネットワークの前記報告領域を規定している１セットの報告データを取得することとを含み、
前記地理領域は、前記報告領域と少なくとも部分的に異なっている方法。
【請求項３２】
前記ユーザ機器が前記報告領域内に存在している以外は、前記１セットの信号測定値を前記ワイヤレスネットワークにアップロードすることをやめることをさらに含む請求項３１記載の方法。
【請求項３３】
前記報告領域は、好ましい報告領域と、好ましい報告時間とを含み、前記好ましい報告時間が満了していない場合には、前記ユーザ機器が前記報告領域内に存在している以外は、前記１セットの信号測定値をアップロードすることをやめることをさらに含む請求項３１記載の方法。
【請求項３４】
前記好ましい報告時間が満了している場合には、前記ワイヤレスネットワーク内のどこかに存在していれば、前記１セットの信号測定値をアップロードすることをさらに含む請求項３３記載の方法。
【請求項３５】
前記ユーザ機器のロケーションを示しているデータは、前記ユーザ機器を担当している基地局の識別子を含み、さらに、前記地理領域を規定している前記１セットの地理データは、前記ワイヤレスネットワークの１セットの基地局識別子を含む請求項３１記載の方法。
【請求項３６】
前記ワイヤレスネットワークの信号を測定することは、
信号強度、
信号強度の品質
信号ピークレベルにおける品質、
コールドロップレート、
セットアップ成功レート、または、
スループット、のうちの少なくとも１つを測定することをさらに含む請求項３１記載の方法。
【請求項３７】
前記１セットの地理データを取得するために、制御プレーンプロトコルを用いることをさらに含む請求項３１記載の方法。
【請求項３８】
前記ユーザ機器をターゲットとしたユニキャストメッセージ内の前記１セットの地理データを、または、前記ユーザ機器がアイドル状態中の場合にはブロードキャストメッセージ内の前記１セットの地理データを、取得することをさらに含む請求項３７記載の方法。
【請求項３９】
前記１セットの地理データを取得するために、ユーザプレーンプロトコルを用いることをさらに含み、前記１セットの地理データは、ネットワークサーバによって発生された１つ以上のデータパケットのペイロード内に含まれている請求項３１記載の方法。
【請求項４０】
クライアントアプリケーションにより、前記１セットの地理データを前記１つ以上のデータパケットから抽出することをさらに含み、前記データプロセッサは、少なくとも、前記ロケーションを前記地理領域と比較するための、前記クライアントアプリケーションの命令と、前記ワイヤレスネットワークの信号解析測定を開始するための、前記クライアントアプリケーションの命令とを実行する請求項３９記載の方法。
【請求項４１】
ワイヤレス通信のために構成されている装置において、
ワイヤレストランシーバを用いて、地理領域を規定している１セットの地理データと報告領域を規定している１セットの報告データとを含むトリガポリシーを取得する通信インターフェースと、
前記装置のためにポジション依存信号解析を提供するように構成されているモジュールを記憶するメモリと、
前記モジュールを実行するデータプロセッサとを具備し、
前記地理領域は、前記報告領域と少なくとも部分的に異なっており、
前記モジュールは、
受信したワイヤレス信号のデータ解析を実行する測定モジュールと、
前記装置のポジションロケーションを提供するデータを監視し、前記ポジションロケーションを前記地理領域と比較する比較モジュールと、
前記ポジションロケーションが前記地理領域内に存在しているときに、前記トリガポリシーにしたがって、ダウンリンク信号の解析を前記測定モジュールに開始させるトリガモジュールと、
前記装置が前記報告領域内に存在している場合には、前記データ解析から導出された１セットの信号解析データをアップロードする報告モジュールとを備える装置。
【請求項４２】
前記ポジションロケーションが前記地理領域の外に存在しているときに、前記ダウンリンク信号の解析を前記測定モジュールに終了させる終了モジュールをさらに備える請求項４１記載の装置。
【請求項４３】
前記装置のポジションロケーションを提供するデータを取得または発生させるポジショニングモジュールをさらに備える請求項４１記載の装置。
【請求項４４】
前記ポジショニングモジュールは、前記装置のポジションロケーションを提供するデータに対するグローバルポジショニングの座標を提供するグローバルポジショニングシステムデバイスのクライアントアプリケーションを備える請求項４３記載の装置。
【請求項４５】
前記ポジショニングモジュールは、前記装置のポジションロケーションを提供するデータに対する緯度および経度の座標を提供するナビゲーションデバイスのクライアントアプリケーションを備える請求項４３記載の装置。
【請求項４６】
前記ポジショニングモジュールは、担当基地局の基地局識別子を用いて、前記装置のポジションロケーションを前記基地局識別子から推測する請求項４３記載の装置。
【請求項４７】
前記比較モジュールは、前記ポジションロケーションを前記報告領域とさらに比較して、前記装置が前記報告領域内に存在しているか否かを決定する請求項４１記載の装置。
【請求項４８】
前記報告領域は、好ましい報告領域と、デフォルト報告領域と、好ましい報告時間とを含む請求項４７記載の装置。
【請求項４９】
前記報告モジュールは、
前記装置が前記好ましい報告領域内に存在している場合には、前記データ解析の結果をアップロードするか、または、
前記装置が前記好ましい報告領域内に存在していない場合には、前記好ましい報告時間が満了していて、前記装置が前記デフォルト報告領域内に存在している以外は、前記データ解析の結果をアップロードすることをやめる請求項４８記載の装置。
【請求項５０】
前記通信インターフェースが、前記１セットの地理データと前記１セットの報告データとを、ワイヤレスネットワークの制御プレーンプロトコルから取得するか、または、
前記装置が、ユーザプレーンプロトコルを用いて、ネットワークサーバアプリケーションとインターフェースし、アップリンクユーザプレーンデータパケットを発生させて、前記データ解析の結果を前記ネットワークサーバアプリケーションに送るクライアントアプリケーションをさらに備え、前記クライアントアプリケーションは、前記１セットの地理データまたは前記１セットの報告データを、前記ネットワークサーバアプリケーションによって提供されるユーザプレーンデータパケット内から抽出するか、のうちの少なくとも１つである請求項４１記載の装置。
【請求項５１】
ワイヤレス通信のための装置において、
ワイヤレストランシーバを通して、ワイヤレスネットワークの基地局インフラストラクチャから独立して地理領域を規定している１セットの地理データを含むトリガポリシーを取得する手段と、
データプロセッサにより、ユーザ機器のロケーションを示しているデータを解析し、前記ロケーションを前記地理領域と比較する手段と、
前記ユーザ機器が前記地理領域内に存在している場合には、前記データプロセッサにより、前記ワイヤレスネットワークの信号解析測定を開始し、ワイヤレスネットワークにアップロードするための１セットの信号測定値を記録させる手段と、
前記ユーザ機器が報告領域内に存在しているときに前記トリガポリシーにしたがって前記１セットの信号測定値をアップロードするために、前記ワイヤレストランシーバを通して、前記ワイヤレスネットワークの前記報告領域を規定している１セットの報告データを取得する手段とを具備し、
前記地理領域は、前記報告領域と少なくとも部分的に異なっている装置。
【請求項５２】
前記ユーザ機器が前記報告領域内に存在している以外は、前記１セットの信号測定値を前記ワイヤレスネットワークにアップロードすることをやめる手段をさらに具備する請求項５１記載の装置。
【請求項５３】
前記報告領域は、好ましい報告領域と、好ましい報告時間とを含み、前記好ましい報告時間が満了していない場合には、前記ユーザ機器が前記報告領域内に存在している以外は、前記１セットの信号測定値をアップロードすることをやめる手段をさらに具備する請求項５１記載の装置。
【請求項５４】
前記好ましい報告時間が満了している場合には、前記ワイヤレスネットワーク内のどこかに存在していれば、前記１セットの信号測定値をアップロードする手段をさらに具備する請求項５３記載の装置。
【請求項５５】
ワイヤレス通信のために構成されている少なくとも１つのプロセッサにおいて、
ワイヤレスネットワークの基地局インフラストラクチャから独立して地理領域を規定している１セットの地理データを含むトリガポリシーを取得するモジュールと、
ユーザ機器のロケーションを示しているデータを解析し、前記ロケーションを前記地理領域と比較するモジュールと、
前記ユーザ機器が前記地理領域内に存在している場合には、前記ワイヤレスネットワークの信号解析測定を開始して、ワイヤレスネットワークにアップロードするための１セットの信号測定値を記録するモジュールと、
前記ユーザ機器が報告領域内に存在しているときに前記トリガポリシーにしたがって前記１セットの信号測定値をアップロードするために、前記ワイヤレスネットワークの前記報告領域を規定している１セットの報告データを取得するモジュールとを具備し、
前記地理領域は、前記報告領域と少なくとも部分的に異なっている少なくとも１つのプロセッサ。
【請求項５６】
コンピュータ読み取り可能記憶媒体において、
ワイヤレスネットワークの基地局インフラストラクチャから独立して地理領域を規定している１セットの地理データを含むトリガポリシーをコンピュータに取得させるためのコードと、
ユーザ機器のロケーションを示しているデータを前記コンピュータに解析させ、前記ロケーションを前記地理領域と比較させるためのコードと、
前記ユーザ機器が前記地理領域内に存在している場合には、前記ワイヤレスネットワークの信号解析測定を前記コンピュータに開始させ、ワイヤレスネットワークにアップロードするための１セットの信号測定値を記録させるためのコードと、
前記ユーザ機器が報告領域内に存在しているときに前記トリガポリシーにしたがって前記１セットの信号測定値をアップロードするために、前記ワイヤレスネットワークの前記報告領域を規定している１セットの報告データを前記コンピュータに取得させるためのコードとを含み、
前記地理領域は、前記報告領域と少なくとも部分的に異なっているコンピュータ読み取り可能記憶媒体。
【発明の詳細な説明】
【米国特許法第１１９条による優先権の主張】
【０００１】
本特許出願は、「特定の地理エリア内の移動体デバイスによる、無線カバレッジ品質関連情報の測定およびログ記録を構成する方法および装置」と題し、２００９年２月３日に出願された仮特許出願シリアル番号第６１／１４９，５４３号に対する優先権を主張し、この出願は、本発明の譲受人に譲渡され、ここに参照により明示的に組み込まれている。
【背景】
【０００２】
分野
以下の記述は、一般的に、ワイヤレス通信に関連し、さらに詳細には、移動体デバイスの地理ロケーションに基づいて、無線カバレッジ情報の測定および報告を促進することに関連する。
【０００３】
背景
例えば、音声コンテンツ、データコンテツ等のような、さまざまなタイプの通信コンテンツを提供するために、ワイヤレス通信システムが広範囲に展開されている。典型的なワイヤレス通信システムは、利用可能なシステムリソース（例えば、帯域幅、送信電力、．．．）を共有することによって、複数のユーザとの通信をサポートすることが可能な多元接続システムとすることができる。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類したものを含むことができる。さらには、システムは、第３世代パートナーシッププロジェクトや、３ＧＰＰロングタームエボリューション（ＬＴＥ）や、ウルトラ移動体ブロードバンド（ＵＭＢ）システムのような仕様に、または、最適化された進化データ（ＥＶ−ＤＯ）のような多重搬送波ワイヤレス仕様に、または、これらの１つ以上の改定等に適合することができる。
【０００４】
一般的に、ワイヤレス多元接続通信システムは、同時に、複数のワイヤレス端末に対する通信をサポートすることができる。それぞれの移動体デバイスは、フォワードリンクおよびリバースリンク上での送信を通して、１つ以上の基地局と通信することができる。フォーワードリンク（またはダウンリンク）は、基地局から移動体デバイスへの通信リンクのことを意味し、リバースリンク（またはアップリンク）は、移動体デバイスから基地局への通信リンクのことを意味する。さらに、移動体デバイスと基地局との間の通信は、単一入力単一出力（ＳＩＳＯ）、複数入力単一出力（ＭＩＳＯ）システム、単一入力複数出力（ＳＩＭＯ）システム、複数入力複数出力（ＭＩＭＯ）システム等によって確立することができる。
【０００５】
ワイヤレス通信ネットワークは、ワイヤレス通信ネットワークの代わりに、移動体通信デバイス（例えば、セル電話機、スマートフォン、ラップトップコンピュータ等）とのデータ交換を促進するワイヤレス通信インフラストラクチャ（例えば、基地局、無線タワー等）を利用する。ユーザが従来の電子通信（例えば、電話サービス）から期待するに至る双方向のユーザ通信を提供するために、ワイヤレス通信ネットワークによって受信されたデータは、別の移動体通信デバイスのような別のエンティティに、公衆電話交換ネットワークに、インターネットのような別のネットワークにリレーすることができ、そして逆もまた同様である。一般的に、ワイヤレス通信の質は、ワイヤレスインフラストラクチャと移動体通信デバイスとの間のワイヤレス信号の、強度、品質、等に少なくとも部分的に依存している。
【０００６】
地理形態のような何らかの静的な、人工の構造物のような何らかの半静的な、大気条件のような他の動的な、多くの条件によって、ワイヤレス信号の全体的な質が影響を受けることがある。１つの直接の例は、近くの無線タワーへの距離である。距離が長くなると、信号強度は低くなる。別の例は、移動体通信デバイスと無線タワーとの間に介在している物理的対象を含む。オフィスビル、タワー等、のような人工の構造物は、ワイヤレス信号の分散または吸収を引き起こすことがあり、これにより、通信品質を低下させる。さらに、電気的導体および導電性構造（例えば、金属壁または囲い、伝導絶縁体等）のような電磁気信号の伝播を軽減する構造が、ワイヤレス信号の強度または品質も低下させることがある。さらなる別の例として、地理形態は、信号強度を低下させることがあり、ワイヤレス干渉を生じさせる信号の反射または分散を引き起こすことがある。前述したことに加えて、天気のパターンや、地球の中規模および大規模な電磁気の変動や、他の大気条件が、ワイヤレス信号の品質に影響を与えることがある。したがって、静的および動的条件に応じて、品質サービスを提供するワイヤレスネットワークの能力は、地理ロケーションに基づいて劇的に変わることがある。
【０００７】
信頼性のあるワイヤレスサービスを幅広いロケーションに提供するために、無線タワーや、基地局や、ワイヤレス中継器や、ワイヤレスリレー等を含むワイヤレスインフラストラクチャの、信号の強度および品質を、ワイヤレスネットワークプロバイダが周期的にテストする。１つの例示的なテストは、ドライブスルーテストである。ドライブスルーテストは、典型的に、ネットワーク要員が、徒歩でまたは乗り物中／上で地理領域全体にわたって移動することを伴う。テストを実施している間、ネットワーク要員は、ワイヤレス受信機を用いて、さまざまなロケーションにおけるダウンリンク信号の強度および品質を解析し、質が悪いサービスエリアを識別する。これらの質が悪いサービスエリアに関連するデータを記録して、ネットワークエンジニアに提供すると、適切な解決策を決定することができる。時には、これらの解決策は、高層ビル内の低電力の基地局、またはショッピングモール内の１セットのこのような基地局、またはこれらに類するもののような、付加的なワイヤレスインフラストラクチャを追加することを含む。他のケースでは、既存のインフラストラクチャの、ポジション、交信角度、または送信電力を調整することによって、問題を是正することができる。さまざまな解決策が存在するものの、ドライブスルーテストを実施し、問題のあるエリアを識別することは、特に、エリアにおいて、何千平方マイルまたは何十万平方マイルある広大なワイヤレスネットワークには、非常にコストがかかる可能性がある。一方、これらの、問題のあるエリアを識別する失敗は、カスタマ満足の低さや、ビジネスの損失または評判の損失につながることがある。これらのタイプの損失は、特に、広範にわたった場合には影響がある可能性がある。したがって、ネットワークオペレータは、たとえ、これを実行するコストが高くても、シームレスなネットワークサービスを提供する強い動機を持っている。
【概要】
【０００８】
以下では、この態様の基本的な理解を提供するために、１つ以上の態様の簡略化した概要を示す。この概要は、すべて検討した態様の多彩な概略ではなく、すべての態様の重要または不可欠なエレメントを識別することにも、何らかの態様またはすべての態様の範囲を詳細に述べることにも向けられていない。この唯一の目的は、後に示す詳細な説明に対する前置きとして、本件開示の１つ以上の態様のうちのいくつかの概念を簡単な形態で示すことである。
【０００９】
本件開示は、移動体デバイスの地理ロケーションの機能として、移動体デバイスによる自動化されたワイヤレスネットワーク信号解析を提供する。いくつかの態様では、地理領域を規定している１セット地理データの、移動体デバイスへの送信を可能にするために、ネットワーク制御プロトコルを拡張することができる。移動体デバイスは、ポジションロケーション決定技術を用いて、その現在のロケーションを地理領域と比較することができる。移動体デバイスが、地理領域に入ると、移動体デバイスは、ダウンリンク信号の測定またはこのような測定の記録を始めることができる。記録された測定値は、その後、解析のためにワイヤレスネットワークにアップロードされる。このように、ワイヤレスネットワークオペレータは、例えば、時間がかかり費用のかかるドライブスルーテストを実施せずに、問題のあるエリアに対するデータ解析を取得することができる。いくつかの態様では、報告領域を規定している１セットのデータは、移動体デバイスに送ることができ、移動体デバイスが報告領域に存在している以外、移動体デバイスは、測定値をアップロードすることをやめることができる。他の態様では、地理データまたは測定値は、ワイヤレスネットワークとユーザプレーンプロトコルを用いる移動体デバイスとにおける遠隔クライアントサーバの対話を介して、これらのユーザプレーンプロトコルを通して交換される。いずれにせよ、デバイス地理ロケーションに基づいてトリガされる移動体デバイスネットワーク解析を提供することによって、特定の問題のあるエリアにうまく調整されることになる解析データを取得することができ、これにより、ネットワーク解析データの品質が向上し、このようなデータを捕捉するコストを大いに減少させることができる。
【００１０】
本件開示の特定の態様にしたがった、ワイヤレス通信の方法を提供する。方法は、通信インターフェースを用いて、ワイヤレスネットワーク内で動作しているユーザ機器（ＵＥ）に向けて、地理領域を規定しているデータを転送することを含むことができ、データは、ワイヤレスネットワークインフラストラクチャから独立している地理座標により地理領域を規定している。さらに、方法は、ＵＥが地理領域内に存在しているときにワイヤレスネットワークの信号測定値をＵＥに記録またはログ記録をさせ、ＵＥに１セットの信号測定値を発生させるトリガポリシーを、通信インターフェースを用いてＵＥに向けて転送することとを含むことができる。
【００１１】
他の態様にしたがった、ワイヤレス通信のために構成されている装置を開示する。装置は、ワイヤレス管理ネットワークとの、および、ワイヤレストランシーバとの電子通信のための通信インターフェースと、ワイヤレストランシーバを通して、ＵＥにデータを送るための、または、ＵＥからデータを受信するためのワイヤレスプロトコルを記憶するメモリとを具備することができる。さらに、装置は、ワイヤレスプロトコルを実現するように構成されているモジュールを実行するデータプロセッサとを具備することができる。特に、モジュールは、地理領域を規定している１セットの地理データと、報告領域を規定している１セットの報告データとを、取得または発生させるデータ管理モジュールを備えることができる。モジュールは、ワイヤレストランシーバを通して、１セットの地理データと１セットの報告データとをＵＥに送り、ＵＥが地理領域内に存在しているときにワイヤレスネットワーク信号の１セットの測定値をＵＥに記録させ、そしてＵＥが報告領域内に存在しているときに１セットの測定値をＵＥにアップロードさせるコマンドモジュールも備えることができる。
【００１２】
本件開示のさらなる態様にしたがった、ワイヤレス通信のために構成されている装置を提供する。装置は、通信インターフェースを用いて、ワイヤレスネットワーク内で動作しているＵＥに向けて、地理領域を規定しているデータを転送する手段を具備することができ、データは、ワイヤレスネットワークインフラストラクチャから独立して地理領域を規定している。これに加えて、装置は、ＵＥが地理領域内に存在しているときにワイヤレスネットワークの信号測定値をＵＥに記録またはログ記録をさせ、ＵＥに１セットの信号測定値を発生させるトリガポリシーを、通信インターフェースを用いてＵＥに向けて転送する手段とを具備することができる。
【００１３】
別の態様では、ワイヤレス通信のために構成されている少なくとも１つのデータプロセッサを開示する。プロセッサは、ワイヤレスネットワーク内で動作しているＵＥに向けて、地理領域を規定しているデータを転送するモジュールを具備することができ、データは、ワイヤレスネットワークインフラストラクチャから独立して地理領域を規定している。さらに、プロセッサは、ＵＥが地理領域内に存在しているときにワイヤレスネットワークの信号測定値をＵＥに記録またはログ記録をさせ、ＵＥに１セットの信号測定値を発生させるトリガポリシーを、ＵＥに向けて転送するモジュールとを具備することができる
さらなる別の態様では、コンピュータ読み取り可能媒体を具備するコンピュータプログラムプロダクトを開示する。コンピュータ読み取り可能媒体は、ワイヤレスネットワーク内で動作しているＵＥに向けて、地理領域を規定しているデータをコンピュータに転送させるためのコードを含むことができ、データは、ワイヤレスネットワークインフラストラクチャから独立して地理領域を規定している。さらに、コンピュータ読み取り可能媒体は、ＵＥが地理領域内に存在しているときにワイヤレスネットワークの信号測定値をＵＥに記録またはログ記録をさせ、ＵＥに１セットの信号測定値を発生させるトリガポリシーを、ＵＥに向けてコンピュータに転送させるためのコードを含むことができる。
【００１４】
本件開示のさらなる態様では、ワイヤレス通信の方法を提供する。方法は、ワイヤレストランシーバを用いて、ワイヤレスネットワークの基地局インフラストラクチャから独立して地理領域を規定している１セットの地理データを取得することを含むことができる。方法は、データプロセッサを用いて、ＵＥのロケーションを示しているデータを解析し、ロケーションを地理領域と比較することも含むことができる。さらに、方法は、ＵＥが地理領域内に存在している場合には、データプロセッサを用いて、ワイヤレスネットワークの信号解析測定を開始し、ワイヤレスネットワークにアップロードするために１セットの信号測定値を記録することとを含むことができる。
【００１５】
別の態様では、ワイヤレス通信のために構成されている装置を提供する。装置は、ワイヤレストランシーバを用いて、地理領域を規定している１セットの地理データと報告領域を規定している１セットの報告データとを取得する通信インターフェースを具備することができ、地理領域は、報告領域と少なくとも部分的に異なっている。これに加えて、装置は、装置のためにポジション依存信号解析を提供するように構成されているモジュールを記憶するメモリと、モジュールを実行するデータプロセッサとを具備することができる。特定の態様にしたがうと、モジュールは、受信したワイヤレス信号のデータ解析を実行する測定モジュールと、装置のポジションロケーションを提供するデータを監視し、ポジションロケーションを地理領域と比較する比較モジュールとを備えることができる。少なくとも１つの態様では、モジュールは、ポジションロケーションが地理領域内に存在しているときに、ダウンリンク信号の解析を測定モジュールに開始させるトリガモジュールも備えることができる。
【００１６】
さらなる他の態様では、ワイヤレス通信のための装置を開示する。装置は、ワイヤレストランシーバを用いて、ワイヤレスネットワークの基地局インフラストラクチャから独立して地理領域を規定している１セットの地理データを取得する手段を具備することができる。さらに、装置は、データプロセッサを用いて、ＵＥのロケーションを示しているデータを解析し、ロケーションを地理領域と比較する手段を具備することができる。上述したことに加えて、装置は、ＵＥが地理領域内に存在している場合には、データプロセッサを用いて、ワイヤレスネットワークの信号解析測定を開始し、ワイヤレスネットワークにアップロードするための１セットの信号測定値を記録する手段とを具備することができる。
【００１７】
１つ以上のさらなる態様にしたがった、ワイヤレス通信のために構成されている少なくとも１つのプロセッサを開示する。プロセッサは、ワイヤレスネットワークの基地局インフラストラクチャから独立して地理領域を規定している１セットの地理データを取得するモジュールを具備することができる。さらに、プロセッサは、ユーザ機器（ＵＥ）のロケーションを示しているデータを解析し、ロケーションを地理領域と比較するモジュールを具備することができる。少なくとも１つの態様にしたがうと、プロセッサは、ＵＥが地理領域内に存在している場合には、ワイヤレスネットワークの信号解析測定を開始して、ワイヤレスネットワークにアップロードするための１セットの信号測定値を記録するモジュールも具備することができる。
【００１８】
上述したことに加えて、１つ以上の他の態様は、コンピュータ読み取り可能媒体を具備するコンピュータプログラムプロダクトを開示する。コンピュータ読み取り可能媒体は、ワイヤレスネットワークの基地局インフラストラクチャから独立して地理領域を規定している１セットの地理データをコンピュータに取得させるためのコードを含むことができる。さらに、コンピュータ読み取り可能媒体は、ＵＥのロケーションを示しているデータをコンピュータに解析させ、ロケーションを地理領域と比較させるためのコードを含むことができる。少なくともさらなる態様では、コンピュータ読み取り可能媒体は、ＵＥが地理領域内に存在している場合には、ワイヤレスネットワークの信号解析測定をコンピュータに開始させ、ワイヤレスネットワークにアップロードするための１セットの信号測定値を記録させるためのコードを含むことができる。
【００１９】
少なくともさらなる態様にしたがって、本件開示は、コンピュータ読み取り可能媒体を含むコンピュータプログラムプロダクトを記述する。コンピュータ読み取り可能媒体は、ワイヤレスネットワークの非担当周波数に関連するタイミング情報をコンピュータに取得させるためのコードを含むことができる。さらに、コンピュータ読み取り可能媒体は、タイミング情報をコンピュータに調べさせて、非担当周波数に関連するサブフレーム構成データをコンピュータに識別させるためのコードを含むことができる。先述に加えて、コンピュータ読み取り可能媒体は、この信号の解析のために、非担当周波数上でネットワークセルによって利用されるサブフレーム構成をコンピュータに用いらせるためのコードを含むことができる。
【図面の簡単な説明】
【００２０】
【図１】図１は、本件開示の様態にしたがった、例示的な地理ベース信号解析装置のブロック図を図示している。
【図２】図２は、さらなる他の様態にしたがった、サンプルのネットワークベース信号解析制御装置のブロック図を図示している。
【図３】図３は、特定の様態にしたがった、地理ベースの信号解析を促進する、サンプルのワイヤレス通信交換のブロック図を図示している。
【図４】図４は、１つ以上の開示した様態にしたがった、ターゲット付けされたネットワーク信号解析に適切な例示的な地理領域の図を図示している。
【図５】図５は、他の様態にしたがった、ターゲット付けされたネットワーク信号解析のための別のサンプルの地理領域の図を図示している。
【図６】図６は、さらなる他の様態にしたがった、ターゲットとしたネットワーク信号解析のためのさらなる別のサンプルの地理領域の図を図示している。
【図７】図７は、１つ以上の開示した様態にしたがった、信号解析制御装置を備えている例示的な基地局のブロック図を図示している。
【図８】図８は、地理ベースの信号解析装置を備えている例示的な移動体デバイスのブロック図を図示している。
【図９】図９は、いくつかの様態にしたがった、改善されたワイヤレス信号解析のための例示的な方法論のフローチャートを図示している。
【図１０】図１０は、ネットワーク独立地理座標に基づいた、ダウンリンク信号解析をトリガするための例示的な方法論のフローチャートを図示している。
【図１１】図１１は、他の様態にしたがった、ターゲット付けされた信号解析または報告の例示的な方法論をフローチャートを図示している。
【図１２】図１２は、決定したポジションロケーションに基づいた、信号解析および測定の報告をトリガするための、サンプルの方法論のフローチャートを図示している。
【図１３】図１３は、ポジションロケーションに基づいた、ターゲット付けされたネットワーク信号解析を促進する例示的なシステムのブロック図を図示している。
【図１４】図１４は、ポジションロケーションに基づいた、ターゲット付けされたネットワーク信号解析を提供する例示的なシステムのブロック図を図示している。
【図１５】図１５は、本件開示のさまざまな様態を実現する際に用いるサンプルのワイヤレス通信装置のブロック図を図示している。
【図１６】図１６は、さらなる様態にしたがった、ワイヤレス通信のための例示的なセルラ環境のブロック図を図示している。
【図１７】図１７は、ワイヤレス通信のための例示的なワイヤレスシグナリング環境のブロック図を図示している。
【詳細な説明】
【００２１】
これから、図面に関連してさまざまな態様を記述する。同じ参照番号を用いて、全体を通して同じエレメントを参照する。以下の記述では、説明の目的のために、１つ以上の態様の全体的な理解を提供するために、多数の特定の詳細な説明を述べた。しかしながら、これらの特定の詳細な説明がなくても、このような態様を実施できることは明らかである。他の例では、１つ以上の態様を記述することを容易にするために、よく知られている構造およびデバイスをブロック図の形態で示した。
【００２２】
さらに、本開示のさまざまな様態を下記に記述する。ここでの教示を広くさまざまな形態で具現化できること、および、ここで開示した何らかの特有の構成および／または機能が、単に代表的なものに過ぎないことは、明らかであるべきである。ここでの教示に基づくと、ここで開示した様態は、他の何らかの様態から独立して実現でき、これらの様態のうちの２つ以上のものを、さまざまな方法で組み合わせることができることを、当事者は正しく認識すべきである。例えば、ここに述べる任意の数の様態を使用して、装置を実現することができる、および／または、方法を実施することができる。加えて、ここに述べる様態のうちの１つ以上のものに加えて、または、ここに述べる様態のうちの１つ以上のもの以外の、他の構造および／または機能性を使用して、装置を実現することができる、および／または、方法を実施することができる。例として、地理的にトリガされる信号解析および報告を提供する文脈中で、ここで記述する、方法、デバイス、システム、および装置の多くを記述する。類似した技術を他の通信環境に適用できることを、当業者は正しく認識すべきである。
【００２３】
ワイヤレス通信システムは、ローカルインフラストラクチャ配備を通して遠隔的に位置付けられているワイヤレスノードと、ローカルインフラストラクチャ（例えば、基地局）に通信可能に結合している中央ネットワークとの間の電子通信を達成する。一般的に、ローカルインフラストラクチャは、さまざまな原理を利用して、ワイヤレス情報を、これらのノードと交換することができる。しかしながら、それぞれのケースは、ワイヤレスノードの送信機と、ローカルインフラストラクチャすなわち基地局の受信機との間で、そして逆も同様に、ワイヤレスリンクを確立することに依存している。多元接続システムについて、ワイヤレスリンクは、ワイヤレスノードとローカルインフラストラクチャとにより用いられる、１セットの直交ワイヤレスリソース（例えば、周波数サブバンド、時間サブスロット、コード拡散ファクタ等）を調整する送信機−受信機のペアを含む。１セットの直交ワイヤレスリソース上のみで信号を送信またはデコードすることによって、１つのワイヤレスリンク上で送信されるデータ（送信機−受信機のペアによって用いられるリソースのセット）を、他のワイヤレスリンク（他の送信機−受信機のペアによって用いられるリソースのセット）上で送信されるデータと区別することができる。さらには、別個のワイヤレスリンクを用いているそれぞれの送信機−受信機のペアは、ワイヤレスチャネルまたは信号次元と呼ばれる別個の空間チャネルを形成する。
【００２４】
図１は、ワイヤレスリンクが、（図示していない）ワイヤレスネットワークと遠隔ワイヤレストランシーバ１０４との間のワイヤレスリンクを含む、例示的なシステム１００のブロック図を図示している。ワイヤレスネットワークは、基地局、無線タワー、ワイヤレスアクセスポイント等のような、ワイヤレスインフラストラクチャまたはワイヤレス通信インターフェースを含むことができる。ワイヤレストランシーバ１０４は、ワイヤレスネットワークインフラストラクチャまたは通信インターフェースから遠隔的に位置付けられた任意の適切なワイヤレス通信デバイスを含むことができる。例は、移動体デバイス、セルラ電話機、デスクトップコンピュータ、ラップトップコンピュータ、パーソナルデジタルアシスタント（ＰＤＡ）、ゲームステーション、ワイヤレスアクセス端末等を含むことができる。さらに、ワイヤレスネットワークとワイヤレストランシーバ１０４との間のワイヤレスリンクは、さまざまなワイヤレス通信プロトコルに基づくことができる。さまざまなワイヤレス通信プロトコルは、例えば、１つ以上のワイヤレス通信システム（例えば、ワイドバンドＣＤＭＡ、高速パケットアクセス［ＨＳＰＡ］、第３世代パートナーシッププロジェクト［３ＧＰＰ］、ロングタームエボリューション［ＬＴＥ］、アドバンスドＬＴＥ［ＬＴＥ−Ａ］、マイクロ波アクセスのための世界的共同利用可能［ＷｉＭＡＸ］、８０２．１１ｘを含むＷｉＦｉネットワーク、等）とともに、周波数分割多元接続（ＦＤＭＡ）プロトコル、コード分割多元接続（ＣＤＭＡ）プロトコル、時分割多元接続（ＴＤＭＡ）プロトコル、直交周波数分割多重（ＯＦＤＭ）プロトコル、またはこれらに類したもの、またはこれらの適切な組み合わせを含む。
【００２５】
図示したように、ワイヤレストランシーバ１０４が、地理信号解析装置１０２に通信可能に結合されている。地理信号解析装置１０２は、ワイヤレストランシーバ１０４を通して、ワイヤレスデータを送ったり受け取ったりする通信インターフェース１０６を備えている。特に、通信インターフェース１０６は、地理領域を規定している１セット地理的データを取得するために、ワイヤレストランシーバ１０４を用いることができる。本件開示の少なくとも１つの態様では、通信インターフェース１０６は、報告領域を規定している１セットの報告データを取得するために、ワイヤレストランシーバ１０４をさらに用いることができる。地理領域は、報告領域と少なくとも部分的に異なっている。
【００２６】
本件開示のいくつかの様態では、制御プレーンプロトコル（例えば、１セットの地理データを伝えるために拡張された無線リソース制御［ＲＲＣ］プロトコル）を使用して、ワイヤレスリンクを通して、１セットの地理データを送信する。この制御プレーンプロトコルは、少なくとも１つのこのような態様では、ブロードキャストチャネルを通して１セットの地理データをブロードキャストすることができ、または、別のこのような様態では、ユニキャストチャネルを通して１セットの地理データをユニキャストすることができる。
【００２７】
代替的に、ユーザプレーンプロトコルを使用して、ワイヤレスリンクを通して、１セットの地理データを送信することができる。後のケースでは、地理信号解析装置１０２によって用いられる（図示していない）クライアントアプリケーションが、ユーザプレーンプロトコルに基づいて、ワイヤレスネットワーク上で、サーバアプリケーションとインターフェースすることができる（または、逆も同様）。例えば、ユーザプレーンプロトコルによって発生されたアプリケーションレベルのデータパケット中で、１セットの地理データを送信することができる。
【００２８】
１セットの地理データは、通信インターフェース１０６によってメモリ１０８中に記憶させることができる。１つの態様では、メモリ１０８は、１セットの地理データを、地理データファイル、ファイル1１０８Ａ中に記憶することができる。さらには、メモリ１０８は、少なくとも部分的に１セットの地理データに基づいて、地理信号解析装置１０２のためにポジション依存信号解析を提供するように構成されているモジュールを記憶するためのものでもあることができる。地理信号解析装置１０２は、モジュールを実行するデータプロセッサを用いて、以下に記述するようなポジション依存信号解析を実現することができる。
【００２９】
上述したことに加えて、地理信号解析装置１０２は、受信したワイヤレス信号のデータ解析を実行する測定モジュール１１６を備えることができる。データ解析は、信号強度解析、信号品質解析、または、これらを適切に組み合わせたもの、または、これらに類するものを含むことができる。このデータ解析のさらなる特定の例は、信号強度、信号強度の品質、最高レベルの解析の品質、コールドロップレート、セットアップ成功レート、スループット、あるいは、信号強度または品質の他の適切なメトリックを含むことができる。ワイヤレストランシーバ１０４によって用いられるワイヤレスプロトコルに応じて、測定モジュール１１６が、異なるタイプの信号解析を実行できること、または、異なるタイプの信号を解析するように構成できることを正しく認識すべきである。例えば、Ｗ−ＣＤＭＡまたはユニバーサル移動体電気通信システム（ＵＭＴＳ）システムでは、信号強度の品質を決定するために、測定モジュール１１６は、受信信号コード電力（ＲＳＣＰ）レベル解析を用いることができる。別の１つの例として、ＬＴＥシステムでは、測定モジュール１１６は、信号強度の品質を決定するために、基準信号受信電力（ＲＳＲＰ）解析を用いることができる。さまざまなネットワーク信号の他の適切な解析も同様に用いることができ、これらはワイヤレスシステムに適している。
【００３０】
先述に加えて、地理信号解析装置１０２は、比較モジュール１１２を備えることができ、比較モジュール１１２は、地理信号解析装置１０２のポジションロケーションを提供するデータを監視し、ポジションロケーションを地理領域と比較する。ポジションロケーションは、例えば、ワイヤレスネットワークインフラストラクチャから独立させることができ、あるいは、ワイヤレスネットワークインフラストラクチャのポジションロケーションを意味しているデータ、または、ワイヤレスネットワークインフラストラクチャのポジションロケーションに関係付けられているデータ（例えば、セットの各基地局のポジションロケーションと相関付ける１セットの基地局識別子［ＩＤ］）とすることができる。このようなポジションロケーションの例は、例えば、グローバルポジショニングシステム（ＧＰＳ）の座標、ナビゲーションデバイスの、緯度および経度の座標、あるいは、ワイヤレスサービスをワイヤレストランシーバ１０４に提供する任意のワイヤレスインフラストラクチャのポジションロケーションから独立して地理信号解析装置１０２のポジションを提供する他の適切なポジションロケーションデータを含むことができる。
【００３１】
本件開示の少なくとも１つの態様では、比較モジュール１１２は、地理信号解析装置１０２のポジションロケーション情報を取得することができる。地理信号解析装置１０２のポジションロケーション情報は、ワイヤレスネットワークインフラストラクチャのポジションと関係付けられている。このケースでは、ポジションロケーション情報は、１つ以上の基地局ＩＤを含むことができ、基地局ＩＤは、ワイヤレストランシーバ１０４を担当している基地局のポジションロケーションを示しており、地理信号解析装置１０２のポジションロケーションを近似するのに使用することができる。さらに、比較モジュール１１２は、地理信号解析装置１０２のこの近似されたポジションロケーションを、１セットの地理データ（これも例えば、地理領域を規定する１セットの基地局ＩＤを含むことができる）によって提供される地理領域と比較することができる。
【００３２】
１セットの地理データと地理信号解析装置１０２のポジションロケーション情報とが共通フォーマットである場合には、比較モジュール１１２によって、１セットの地理データとポジションロケーションとを直接的に比較することができる。データと情報とが異なるフォーマットである場合には、データと情報とが比較可能なフォーマットとなるようにするために、データまたは情報上での１つ以上のデータ変換を実行するように、比較モジュール１１２を構成することができる。１つの例では、比較モジュール１１２は、緯度または経度のポジショニングデータに、あるいは、地理領域を少なくとも部分的に横切る１つ以上の基地局ＩＤに、ＧＰＳデータを変換することができる。他の適切なデータ変換も同様に使用することができる。例えば、緯度または経度のポジショニングデータを、ＧＰＳデータに、または、１つ以上の基地局ＩＤ等に変換することができる。したがって、地理データがＧＰＳの座標中に存在し、ポジションロケーション情報が、緯度および経度の座標中に存在している場合には、比較モジュール１１２は、各ポジショニングの座標を比較する前に、ＧＰＳの座標を緯度および経度の座標に、または、その逆に、変換することができる。
【００３３】
ポジションロケーション情報と地理領域とを比較した後に、比較モジュール１１２が、地理信号解析装置１０２が地理領域内に存在しているか否かを決定する。例えば、ポジションロケーション情報と地理領域とがオーバーラップしているか否かについて、決定を行うことができる。そうであるならば、比較モジュール１１２は、地理信号解析装置１０２が地理領域内に存在していることを示しているトリガモジュール１１４を更新する。一方、ポジションロケーション情報と地理領域とがオーバーラップしていないと、比較モジュール１１２が決定した場合、トリガモジュール１１４は、この情報によっても更新することができる。
【００３４】
先述に加えて、ワイヤレスネットワークからこのようなデータを受け取った場合に、比較モジュール１１２は、ポジションロケーション情報を、１セットの報告データによって規定されている報告領域と比較することができる。このようなケースでは、比較モジュール１１２は、ポジションロケーション情報と報告領域との比較に基づいて、地理信号解析装置１０２が報告領域内に存在しているか否かを決定する。この比較に基づいて、地理信号解析装置１０２が報告領域内に存在しているか否かについて、比較モジュール１１２がトリガモジュールを更新する。
【００３５】
ポジションロケーションが地理領域内に存在しているときに、トリガモジュール１１４は、ダウンリンク信号の解析を、あるいは、ダウンリンク信号の解析の記録またはログ記録を測定モジュール１１６に開始させる態様で構成することができる。したがって、地理信号解析装置１０２が地理領域内に存在しているときに、トリガモジュール１１４は、ワイヤレスネットワーク信号のデータ、解析またはワイヤレスネットワーク信号の記録／データログ記録を開始させる。特に、データ解析の結果を、メモリ１０８における第２のファイル、ファイル2１０８Ｂ中に記憶させることができる。１つの態様では、地理信号解析装置１０２によって、記録／ログ記録された信号の解析を、ネットワークにアップロードすることができる。別の態様では、比較モジュール１１２によって、報告領域内に入っていると決定されるまで、地理信号解析装置１０２は、信号解析の結果をワイヤレスネットワークにアップロードすることをやめる。したがって、地理信号解析装置１０２が１セットの地理データによって提供されている地理領域内に存在しているときのみ、ワイヤレス信号解析を実行または記録することができる。１つのオプションでは、解析が完了した後の適切な時間において、または、すぐに、解析の結果をネットワークにアップロードすることができる。しかしながら、代替的なオプションでは、地理信号解析装置１０２が、ワイヤレスネットワークによって提供されている報告領域に入っているときのみ、解析の結果をネットワークにアップロードする。後のケースでは、管理された報告をネットワークによって提供でき、これにより、アップリンク干渉や、ネットワーク輻輳等を減少させることができる。
【００３６】
記述したように、地理信号解析装置１０２は、ワイヤレスネットワーキングに対して、大いに向上したダウンリンク信号解析を促進できる。最初に、地理信号解析装置１０２により、ワイヤレスネットワーク要員によるテストを通した手動駆動を実行する必要性を減少またはなくすことができる。代わりに、ネットワークオペレータは、オペレータのワイヤレスネットワークインフラストラクチャ（例えば、無線タワー、基地局等）によってカバーされている地理領域内の問題のエリアを識別し、これらの地理領域を規定しているデータのセットを生成させて、ワイヤレスネットワークインフラストラクチャと通信可能に結合されている移動体デバイスに向けて、データのこれらのセットを送ることができる。ハードウェア更新、ソフトウェア更新、ファームウェア更新、またはこれらに類したもの、またはこれらを組み合わせたもののいずれかを通して、このような移動体デバイスを更新して、地理信号解析装置１０２、または、ここで記述したもののような類似した機能を提供する類似したこのような装置を含めることができる（例えば、上記図８参照）。したがって、１セットの地理データによって規定されている地理領域に移動体デバイスが入っているときに、移動体デバイスは、地理信号解析装置１０２を用いて、１セットの地理データを受け取って処理し、ネットワーク信号測定値の測定または記録／ログ記録を始めることができる。このような方法で、移動体デバイスは、ワイヤレスオペレータの要員がテストを通して単調で退屈な駆動を実施する必要性を軽減または未然に防ぐことができる。例えば、地理領域内の問題のエリアに対する信号解析データを取得することに関係する、コストおよび時間を劇的に減少させることができる。
【００３７】
上述したことに加えて、ネットワークの問題のエリアに対する信号解析を得るためにテストを通した手動駆動に対する必要性を軽減または未然に防ぐことに加え、地理信号解析装置１０２は、地理領域の詳細で粒度が細かい規定に適応することもでき、これにより、問題のエリアの解析をさらに向上させることができることを正しく認識すべきである。（例えば、地理ポイントに接続することによって）地理空間の閉ざされた領域を形成できる地理ポイントを規定している、例えば、１セットのＧＰＳの座標に、またはナビゲーションの緯度および経度の座標に、または、これらに類したものに、またはこれらの適切な組み合わせに、この詳細さおよび精度を提供することができる。例えば、地理的な問題のエリアを高い分解能および精度で規定することができる場合、地理信号解析装置１０２によって提供される自動化された信号解析データが、地理的な問題のエリア自体に対して十分に調整される可能性がより高くなる。もちろん、特定のエリアに対して十分に調整されたネットワークデータは、そのエリア内の条件を特徴付ける際に大変役立ち、そして、エリア内の標準以下の性能を決定する際にさらに役立つことができ、または、性能を増加させる解法を導出するのに役立つ。
【００３８】
さらなる他の態様にしたがうと、地理信号解析装置１０２は、ターゲット付けられた報告のために構成することができる。例えば、ターゲット付けられた報告を用いて、アップリンクネットワーク負荷または干渉を減少させることができる。ターゲット付けられた報告の有効性を図示するための例として、ここで記述するように、問題の地理エリアを規定している１セットの地理データを受信していて、問題の地理エリアに入り、信号解析測定値を記録する、非常に多数の移動体デバイスについて考える。これらの移動体デバイスが、これらの移動体デバイスの各測定値の結果を同時にアップロードする場合に、これらの移動体デバイスは、ワイヤレスネットワークのアップリンクチャネルを大いに妨げることもある。この問題を軽減するために、１つ以上の報告領域を規定している１セットの報告データを、これらの移動体デバイスに分配することができる。このケースでは、移動体デバイスが報告領域内に存在するまで、移動体デバイスは、これらの各移動体デバイスの測定値の結果をアップロードすることをやめることができる。したがって、報告領域が、地理領域外である場合には、または、オプション的に、ワイヤレスネットワークのセルの近くの全体にわたって分散している場合には、より多くの基地局と、より多くのワイヤレスアップリンクチャネルとの間で、アップロードに関係するネットワーク負荷を拡散させることができる。少なくとも１つの態様では、異なる報告領域を、異なるセットの移動体デバイスに分配して、アップロードの結果として、任意の所定の報告領域において生じるであろうアップリンクトラフィックの量を制限することができる。別の態様では、１つ以上の好ましい報告領域と１つ以上の報告領域とを、１セットの報告データ中に含めることができる。この態様では、地理信号解析装置１０２を備えるように構成されている移動体デバイスは、移動体デバイスが好ましい報告領域内に存在するまで、地理エリアの測定結果をアップロードすることをやめることができる。予め定められた条件または予め定められた条件のセットが生じた場合には、デフォルト報告領域内のどこかに存在していれば、地理信号解析装置１０２は、測定結果をアップロードすることができる。好ましい報告領域の代わりにデフォルト報告領域内でアップロードを生じさせる１つの例示的な条件は、好ましい報告時間の満了、（例えば、ネットワーク負荷がしきい値レベルよりも下であるときに）アップロードメッセージをワイヤレスネットワークから受信する、または、これに類するもの、または、これらを適切に組み合わせたものを含むことができる。たとえ、移動体デバイスが好ましい報告領域に入っていなかったとしても、例えば、好ましい時間期間が満了した後、または、ネットワーク負荷がしきい値レベルより下に落ちたとき等、移動体デバイスが測定結果をアップロードするように、条件または条件のセットを構成することができる。
【００３９】
本件開示の少なくとも１つのさらなる態様では、１セットの地理データおよび１セットの報告データは、それぞれ、地理領域および報告領域を規定するために、基地局ＩＤのそれぞれのセットを含むように構成することができる。ＧＰＳの座標よりも詳細ではないものの、基地局ＩＤを用いて地理領域および報告領域を規定することは、レガシー移動体デバイスでさえも、自動化されたダウンリンク信号解析および報告を、最小の変更（例えば、少なくとも、地理信号解析装置１０２のサブセットを含む、ソフトウェア更新またはファームウェア更新）で提供することを可能にすることができる。１つの特定の例では、移動体デバイスは、担当基地局のＩＤを取得し、このＩＤを、移動体デバイスの現在のロケーションに対するプロキシとして用いることができる。このＩＤを、地理領域を規定している１セットの基地局ＩＤと比較して、この移動体デバイスが地理領域内に存在している（例えば、担当基地局ＩＤが、地理領域を規定している１セットの基地局ＩＤの１つと同じである場合）か否かを決定することができる。同様に、このＩＤは、報告領域を規定している１セットの基地局ＩＤと比較して、この移動体デバイスが報告領域内に存在しているか否かを決定することもできる。ここで記述したように、移動体デバイスが地理領域内に存在している場合には、移動体デバイスは、ダウンリンク測定値を記録／ログ記録することを始めることができ、そして同様に、移動体デバイスが報告領域内に存在している場合には、移動体デバイスは、記録／ログ記録されたダウンリンク測定値をアップロードすることができる。地理ベースの信号解析および報告を実現する他の例も、本件開示の範囲内であると考えられるので、本件開示は、先述の例に限定されない。
【００４０】
図２は、例示的なシステム２００のブロック図を図示している。例示的なシステム２００は、本件開示の１つ以上の態様にしたがった、ワイヤレスネットワークによって担当されている特定の地理領域の、ネットワーク管理されている解析および報告を提供する。システム２００は、ネットワークインターフェース２１２を通して少なくとも部分的にワイヤレス基地局２０２に通信可能に結合されているワイヤレス管理ネットワーク２０４（例えば、ワイヤレスオペレータのネットワーク）を備えている。ワイヤレス管理ネットワーク２０４は、ネットワーク地理エンティティ２１４を備えることができ、ネットワーク地理エンティティ２１４は、ワイヤレス管理ネットワーク２０４に関係するワイヤレスネットワークを担当している（例えば、基地局２０２を含む）ワイヤレスインフラストラクチャによって担当される地理領域を規定する１セットの地理データを発生させる。１セットの地理データは、ネットワークインターフェース２１２を通して基地局２０２に転送することができる。
【００４１】
さらには、ネットワーク地理エンティティ２１４は、ワイヤレスネットワーク内の報告領域を規定する１セットの報告データを発生させることができる。本件開示の少なくとも１つの態様では、報告領域は、地理領域と異なっていることがある。他の態様では、報告領域は、地理領域と少なくとも部分的にオーバーラップしていることがある。さらに他の態様では、報告領域は、好ましい報告領域とデフォルト報告領域とを含むことができるが、好ましい報告領域は地理領域とオーバーラップしておらず、デフォルト報告領域は、地理領域と少なくとも部分的にオーバーラップしている。本件開示の１つの態様では、ネットワーク地理エンティティ２１４は、ネットワークインターフェース２１２によって用いられる制御プレーンインターフェースを通して、１セットの地理データと１セットの報告データとを基地局２０２に転送することができる。この態様では、ネットワーク地理エンティティ２１４は、ネットワークマネージャ、ドメインマネージャ、またはエレメントマネージャ、またはこれらに類するもの、またはこれらを適切に組み合わせたものを含むことができ、ネットワークインターフェース２１２は、制御プレーン管理インターフェースを含むことができる。本件開示の別の態様では、ワイヤレス管理ネットワーク２０４は、ユーザ機器（ＵＥ）と基地局２０２との間のワイヤレスリンクと基地局２０２とを通して、ＵＥと通信可能に結合することができる（図示していないが、以下の図３参照）。この態様では、ネットワークインターフェース２１２は、ユーザプレーンプロトコル（例えば、オープンモバイルアライアンスデバイス管理［ＯＭＡ−ＤＭ］プロトコル）を用いることができる。この態様では、１セットの地理データおよび１セットの報告データは、例えば、トラフィックチャネルを介して、（基地局２０２に対して）トランスペアレントに、基地局２０２を通して移送することができる。さらに、この後の態様では、ネットワークインターフェース２１２は、デバイス管理サーバ、または、他の適切なエンティティを備えることができる。
【００４２】
先述に加えて、基地局２０２は、地理制御装置２０６を備えることができる、または、地理制御装置２０６と結合することができる。地理制御装置２０６は、１セットの地理データを、基地局２０２によって担当されている（図示していない）移動体デバイスに分配するように構成することができる。特に、地理制御装置２０６は、ワイヤレス管理ネットワーク２０４との、および、基地局２０２のワイヤレストランシーバとの電子通信のための通信インターフェース２１６を備えることができる。特に、通信インターフェース２１６は、基地局２０２を通して、１セットの地理データまたは１セットの報告データを、ネットワーク地理エンティティ２１４から取得することができる。地理制御装置２０６によるさらなる処理のために、各セットのデータは、メモリ２１０中に記憶させることができる。これに加えて、メモリ２１０は、基地局２０２のワイヤレストランシーバを通してユーザ機器（図示していないＵＥ）にデータを送るための、または、基地局２０２のワイヤレストランシーバを通してユーザ機器（図示していないＵＥ）からデータを受け取るための、ワイヤレスプロトコルを記憶するように構成することができる。そして、モジュールを実行するデータプロセッサ２０８は、ワイヤレスプロトコルを実現するように構成されている。上述したこと加えて、地理制御装置２０６は、データ管理モジュール２１８を備えることができ、データ管理モジュール２１８は、地理領域を規定している１セットの地理データと報告領域を規定している１セットの報告データとを、通信インターフェース２１６を通してワイヤレス管理ネットワーク２０４から、または、メモリ２１０から取得する。本件開示の少なくとも１つの態様では、データ管理モジュール２１８は、１セットの地理データ（または１セットの報告データ）を、ＵＥのロケーション識別能力と一致したフォーマットに変換する。例えば、ＵＥがＧＰＳの座標を解析するように構成されている場合、データ管理モジュール２１８は、１セットの地理データまたは１セットの報告データをＧＰＳの座標に変換することができる。データ管理モジュール２１８は、先述の例に限定されないが、１セットの地理データと１セットの報告データとを、ネットワーク地理エンティティ２１４によって提供されるさまざまなフォーマット（例えば、ＧＰＳの座標、緯度および経度の座標、基地局ＩＤ等）から、ＵＥのロケーション識別能力と一致したフォーマットに変換することができる。
【００４３】
先述に加えて、地理制御装置２０６は、コマンドモジュール２２０を備えることができ、コマンドモジュール２２０は、基地局２０２のワイヤレストランシーバを通して、１セットの地理データと１セットの報告データとをＵＥに送る。少なくとも１つの態様では、１セットの地理データまたは１セットの報告データを送ることは、ＵＥが地理領域内に存在しているときに、ワイヤレスネットワーク信号の１セットの測定値をＵＥに記録させるように、そしてＵＥが報告領域内に存在しているときには１セットの測定値をアップロードするように構成することができる。基地局２０２が報告領域内に存在し、１セットの測定値をＵＥから受信する場合に、基地局２０２は、ネットワーク地理エンティティ２１４による解析のために、１セットの測定値をネットワーク地理エンティティ２１４に、または、ワイヤレス管理ネットワーク２０４の他の適切なコンポーネント（例えば、ワイヤレスネットワークによってオペレータによってインストールされた処理コンポーネント）に、転送することができる。
【００４４】
本件開示の１つの態様では、ネットワーク地理エンティティ２１４および。
【００４５】
図３は、本件開示のさらなる態様にしたがった、地理ベースのダウンリンク信号解析および報告をワイヤレスネットワークに提供する例示的なシステム３００のブロック図を図示している。システム３００は、ワイヤレスリンク３０６によって通信可能に結合されている、ネットワークエンティティ３０４と移動体デバイス３０２とを具備している。ネットワークエンティティ３０４は、基地局や、ワイヤレスリレーや、ワイヤレス中継器等を含むことができ、そしてオプション的には、ワイヤレス管理ネットワークの１つ以上のコンポーネント（例えば、ネットワーク地理エンティティ２１４）を含むことができる。移動体デバイス３０２は、アクセス端末や、ＵＥや、ラップトップコンピュータや、ＰＤＡや、セルラ電話機や、スマートフォン等を含む、任意の適切な移動体ワイヤレス通信デバイスを含むことができる。以下でより詳細に記述するように、ネットワークエンティティ３０４および移動体デバイス３０２は、ここで提供する、地理ベースの信号解析および報告を実現するように構成されている。
【００４６】
ネットワークエンティティ３０４は、地理制御装置３０８を備えることができる。地理制御装置は、地理制御装置２０６に実質的に類似することがある。しかしながら、本件開示は、これに限定されない。
【００４７】
地理制御装置３０８は、ワイヤレスネットワークが関心のある地理領域を規定している１セットの地理データを発生させることができる（例えば、ここでは、関心のある地理領域は、ネットワークオペレータによって決定されるような、比較的高いコールドロップレート、低いスループット、低い信号強度または信号品質強度、またはこれらに類するもののような、カスタマの不満に関係する領域である）。本件開示の１つの態様では、１セットの地理データは、関心のある地理領域を規定するＧＰＳの座標を含むことができる。他の態様では、１セットの地理データは、関心のある地理領域を規定する、緯度および経度の座標を含むことができる。少なくとも１つの他の態様では、１セットの地理データは、関心のある地理領域を規定するネットワーク依存座標（例えば、１セットの基地局ＩＤ）を含むことができる。少なくとも１つの特定の態様では、１セットの地理データは、先述のタイプの座標を組み合わせたもの、または、類似した座標を含むことができる。
【００４８】
本件開示のいくつかの態様では、地理制御装置３０８は、１セットの地理データに加えて、または１セットの地理データの代わりに、報告領域を規定している１セットの報告データを発生させることができる。１セットの地理データに類似して、１セットの報告データは、報告領域を規定するための、さまざまなデータフォーマットを含むことができる。１つの態様では、１セットの報告データは、ワイヤレスネットワークインフラストラクチャから独立した座標を含むことができる。例えば、１セットの報告データは、グローバルポジショニングシステムの座標、または、緯度および経度の座標を含むことができる。別の態様では、１セットの報告データは、ネットワーク依存座標を含むことができる。ネットワーク依存座標の例は、基地局識別子を含み、基地局識別子は、規定されている地理領域に関係するワイヤレスネットワークのセルに、または、規定されているポジションロケーションを有する基地局を含んでいるセルに割り当てられる。基地局識別子は、ネットワークエンティティ３０４に関係する、ワイヤレストランシーバの基地局識別子をオプション的に含むことができる。
【００４９】
本件開示の特定の態様にしたがうと、ネットワークエンティティ３０４は、バージョンモジュール３１０を備えることができ、バージョンモジュール３１０は、移動体デバイス３０２のロケーション識別能力を決定するために移動体デバイス３０２に問い合わせる。本件開示のいくつかの態様では、移動体デバイス３０２は、アップロードメッセージ３１０Ａを送るように構成することができ、アップロードメッセージ３１０Ａは、移動体デバイス３０２によって用いられる座標系または移動体デバイス３０２と互換性のある座標系を含んでいる。したがって、ロケーション識別能力は、ＧＰＳの座標系、緯度および経度の座標系、ネットワーク依存座標系、または、別の適切な座標系に基づくことができる。バージョンモジュール３１０は、ロケーション識別能力に関するアップロードメッセージ３１０Ａを、移動体デバイス３０２から取得し、移動体デバイス３０２によって用いられる座標系をそこから抽出して、座標系を地理制御装置３０８に転送する。本件開示のこれらの態様では、地理制御装置３０８は、１セットの地理データまたは１セットの報告データを、移動体デバイス３０２のロケーション識別能力に一致したフォーマットに（例えば、１セットの地理データまたは１セットの報告データを発生させるために利用されるデフォルト座標系から、移動体デバイス３０２によって用いられる座標系に）変換するように構成することができる。
【００５０】
いったん発生されると、そしてオプション的に、移動体デバイス３０２のロケーション識別能力に一致するように変換されると、地理制御装置３０８は、１セットの地理データまたは１セットの報告データを含むワイヤレスメッセージ３０８Ａを発生させて、ワイヤレスメッセージ３０８Ａを移動体デバイス３０２に送信する。移動体デバイス３０２は、地理信号解析装置３１２を備えることができ、地理信号解析装置３１２は、ワイヤレスメッセージ３０８Ａを、移動体デバイス３０２の（図示していない）ワイヤレストランシーバから取得する。本件開示の少なくとも１つの態様では、地理信号解析装置３１２は、上記の図１の地理信号解析装置１０２に実質的に類似することができる。しかしながら、本件開示は、この態様に限定されないことを正しく認識すべきである。
【００５１】
ワイヤレスメッセージ３０８Ａを受け取ると、地理信号解析装置３１２が、１セットの地理データまたは１セットの報告データをそこから抽出することができる。移動体デバイス３０２は、ポジショニングモジュール３１４を備えることができ、ポジショニングモジュール３１４は、移動体デバイス３０２のポジションロケーションを提供するデータを取得または発生させる。１つの態様では、ポジショニングモジュール３１４は、ＧＰＳデバイスのクライアントアプリケーションを備え、ＧＰＳデバイスのクライアントアプリケーションは、ポジションロケーションを提供するデータのためのグローバルポジショニング座標を提供する。別の態様では、ポジショニングモジュール３１４は、ナビゲーションデバイスのクライアントアプリケーションを備え、ナビゲーションデバイスのクライアントアプリケーションは、ポジションロケーションを提供するデータのための緯度および経度の座標を提供する。さらなる別の態様では、ポジショニングモジュール３１４は、（例えば、ネットワークエンティティ３０４に関係する）担当基地局の基地局識別子（基地局ＩＤ）を用いて、移動体デバイス３０２のポジションロケーションを、基地局ＩＤから推測する。
【００５２】
地理信号解析装置３１２は、ポジションロケーションを、１セットの地理データによって規定されている地理領域と比較するように、または、ポジションロケーションを、１セットの報告データによって規定されている報告領域と比較するように構成することができる。比較に基づいて、移動体デバイス３０２が地理領域または報告領域内に存在しているか否かを、地理信号解析装置３１２が決定することができる。地理領域内に存在している場合には、地理信号解析装置３１２は、移動体デバイス３０２によって実行された、受信したダウンリンク信号の信号解析測定のログ記録を始めることができる、または、移動体デバイス３０２によって既に実施されていない場合には、このような信号解析測定をトリガすることができる。移動体デバイス３０２は、終了モジュール３１６をさらに備えることができ、終了モジュール３１６は、ポジションロケーションが地理領域外であるとき、ダウンリンク信号の解析をまたは信号解析測定値のログ記録を移動体デバイス３０２に終了させる。
【００５３】
移動体デバイス３０２によってログ記録された信号解析測定値は、アップロードメッセージ３１８Ａ中でネットワークエンティティ３０４にアップロードされる。管理された報告を促進し、これにより、（例えば、地理領域内の）ネットワークエンティティ３０４へのアップリンク負荷を減少させるために、移動体デバイス３０２は、報告モジュール３１８を備えることができ、報告モジュール３１８は、移動体デバイス３０２が報告領域内に存在している場合には、信号解析測定から導出された１セットの信号解析データを含むアップロードメッセージ３１８Ａをアップロードする。１つの態様では、報告領域は、好ましい報告領域とデフォルト報告領域とを含み、そしてオプション的には、好ましい報告時間を含む。この態様では、移動体デバイス３０２が好ましい報告領域内に存在している場合には、報告モジュール３１８は、データ解析の結果のアップロードのみする。または、代替的に、移動体デバイス３０２が好ましい報告領域内に存在していない場合には、好ましい報告時間が満了していて、移動体デバイス３０２がデフォルト報告領域内に存在している以外は、報告モジュール３１８は、データ解析の結果をアップロードすることをやめる。
【００５４】
本件開示の少なくとも１つの特定の態様にしたがうと、ワイヤレスリンク３０６に関係するさまざまなネットワークチャネルを利用して、ワイヤレスメッセージ３０８Ａと、アップロードメッセージ３１０Ａと、アップロードメッセージ３１８Ａとを送信することができる。１つの態様では、これらのメッセージは、ＲＲＣプロトコルのような、ワイヤレスネットワークの制御プレーンプロトコルを通して、送信および受信することができる。別の態様では、このメッセージは、ワイヤレスネットワークのユーザプレーンプロトコルを利用して、送信および受信することができる。後のケースでは、移動体デバイス３０２または地理信号解析装置３１２は、（図示していない）クライアントアプリケーションをさらに含むことができ、（図示していない）クライアントアプリケーションは、ユーザプレーンプロトコルを用いて、ネットワークエンティティ３０４中に、または、地理制御装置３０８中に含まれているネットワークサーバアプリケーションとインターフェースする。サーバアプリケーションは、ユーザプレーンデータパケットを発生させて、ワイヤレスメッセージ３０８Ａを形成することができ、同様にクライアントアプリケーションは、アップリンクユーザプレーンデータパケットを発生させて、アップロードメッセージ３１０Ａとアップロードメッセージ３１８Ａとを形成することができる。したがって、クライアントアプリケーションは、ネットワークサーバアプリケーションによって提供されているワイヤレスメッセージ３０８Ａのこれらのユーザプレーンデータパケット内から、地理データまたは報告データを抽出し、ネットワークサーバアプリケーションへの送信のために、データ解析の結果をアップロードメッセージ３１８Ａ中に埋め込む。
【００５５】
図４は、本件開示の態様にしたがった、ワイヤレスネットワークに対する例示的な地理的なカバレッジエリア４００の図を図示している。地理的なカバレッジエリア４００は、１セットのワイヤレスネットワークセルに分割されている。１セットのワイヤレスネットワークセルは、地理的なカバレッジエリア４００の少なくとも一部分をカバーする、（集約的にセル４０２Ａ−４０２Ｊと呼ぶ）セル４０２Ａ、４０２Ｂ、４０２Ｃ、４０２Ｄ、４０２Ｅ、４０２Ｆ、４０２Ｇ、４０２Ｈ、４０２Ｉ、４０２Ｊを含む。これに加えて、セル４０２Ａ−４０２Ｊの多くは、ワイヤレス通信サービスを遠隔ワイヤレスデバイスに提供するための、ワイヤレスネットワークインフラストラクチャを含む。特に、セル４０２Ａ−４０２Ｊの多くにおいて、（集約的に基地局４０４Ａ−４０４Ｊと呼ぶ）基地局４０４Ａ、４０４Ｂ、４０４Ｄ、４０４Ｅ、４０４Ｇ、４０４Ｈ、４０４１、４０４Ｊを含む１セットの基地局を図示している。地理的なカバレッジエリア４００において、道またはハイウェイのような、物理的構造物４０６を太い実線で示している。このハイウェイ４０６は、セル４０２Ａ−４０２Ｊのうちのいくつかを横切り、そしてさらに、２つのセル、４０２Ｃおよび４０２Ｆの中心を通り抜けている。結果として、セル４０２Ｃおよび４０２Ｆは、セル４０２Ｃ内でワイヤレスサービスを提供するための、基地局または他のインフラストラクチャを含んでいない。近くのセルは、セル４０２Ｃおよび４０２Ｆ内のワイヤレスデバイスにサービス提供しようと試行することができる。しかしながら、サービスは、特に、これらのセル４０２Ｃ、４０２Ｆの中心に向かって、比較的、品質が悪いかもしれない。
【００５６】
この例については、地理的なカバレッジエリア４００にサービス提供しているワイヤレスネットワークオペレータが、地理的なカバレッジエリア４００内の、関心ある地理領域４１０を規定しているデータを発生させる。コールドロップレート、またはこれらに類するもののような、カスタマの不満またはネットワークコンパイルされた統計の結果として、この地理領域４１０は識別されるかもしれない。その後、ワイヤレスネットワークオペレータは、ここで記述したように、ＧＰＳの座標、または緯度および経度の座標、またはこれらに類するものを利用して、地理領域４１０を規定している１セットの地理データを発生させることができる。１セットの地理データは、基地局４０４Ａ−４０４Ｊのうちの１つ以上によって、地理的なカバレッジエリア４００内の１つ以上のＵＥ４０８Ａ、４０８Ｂに転送することができる。１セットの地理データを受け取ると、ＵＥ４０８Ａ、４０８Ｂは、ＵＥ４０８Ａ、４０８Ｂの、（例えば、ＧＰＳの座標の、または、緯度および経度の座標の）現在のロケーションを、地理領域４１０を規定している１セットの地理データと比較することができる。いったん、ＵＥ４０８ＢのようなＵＥが、地理領域４１０内に存在していると決定すると、このようなＵＥ４０８Ｂは、基地局４０４Ａ−４０４Ｊのうちの１つ以上から受信したダウンリンク信号測定値を記録またはログ記録することができる。その後、地理的なカバレッジエリア４００内の任意の適切な基地局４０４Ａ−４０４Ｊに送られたアップロードメッセージ中で、これらのダウンリンク信号測定の結果をネットワークオペレータに戻すことができる。したがって、信号解析測定を実行するためにＵＥ４０８Ａ、４０８Ｂを用いることによって、これらの測定値を取得する際に、著しいコストを軽減させることができる。さらに、うまく規定された地理エリア４１０を確立することができ、解析をうまく規定されたエリアに限定し、ＵＥ４０８Ａ、４０８Ｂの処理オーバーヘッドとシグナリングオーバーヘッドとを地理領域４１０内で費す時間だけに軽減させることができる。したがって、正確な座標系でうまく規定できる特定の領域に信号解析測定値を調整することができ、ネットワークリソースとともにＵＥリソースを保持することができる。
【００５７】
図５は、本件開示のさらなる態様にしたがった、例示的な地理的なカバレッジエリア５００の図を図示している。特に、地理的なカバレッジエリア５００は、地理ベースのネットワーク信号解析と、ターゲット付けられた報告との例を図示している。地理的なカバレッジエリア５００は、地理的なカバレッジエリア５００の、六角形の形をした点線によって図示したような１セットのワイヤレスネットワークセルに分割されている。さらに、これらのワイヤレスネットワークセルの３つ、セル５０８Ａ、５０８Ｂ、５０８Ｃは、ワイヤレスサービスを地理的なカバレッジエリア５００に提供するワイヤレスネットワークオペレータが関心のある地理領域５０２にオーバーラップしている。関心のある地理領域５０２は、ここで記述したような低いサービス品質の領域、または、関心のある他の何らかの特性を有する領域（例えば、動作不可能な基地局、ワイヤレスネットワークインフラストラクチャに対する潜在的な拡大の領域等）とすることができる。図示したように、関心のある地理領域５０２は、セル５０８Ａ、５０８Ｂ、５０８Ｃの一部分を含んでいるが、これらのセル５０８Ａ、５０８Ｂ、５０８Ｃのうちのいずれかすべてではない。この領域を規定するために、地理領域５０２を規定している１セットの地理データは、地理的なカバレッジエリア５００全体にわたって配備されているワイヤレスネットワークインフラストラクチャから独立した座標系を用いることができる。これにより、１つ以上のセル内のすべてのエリアというよりむしろ、図示したように、１つ以上のセルのサブセットとして、地理領域５０２を規定することが可能になる。このような座標系のいくつかの例は、ＧＰＳの座標系、または、緯度および経度の情報を含むナビゲーション座標系を含むことができる。
【００５８】
ここで記述したように、ネットワークエンティティは、関心のある地理領域５０２を規定している１セットの地理データをＵＥ５０６に転送することができる。ＵＥ５０６は、１セットの地理データを受信すると、ＵＥに対するポジションロケーション情報を取得し、地理領域５０２内にＵＥ５０６が存在しているか否かを決定することができる。地理領域５０２に入ると、ＵＥ５０６は、ＵＥ５０６において受信したダウンリンクワイヤレス信号に対するダウンリンク信号測定値をログ記録することを始めることができる。地理領域５０２を離れると、ＵＥ５０６は、ダウンリンク信号測定値をログ記録のを終了することができる。
【００５９】
先述に加えて、ネットワークエンティティは、報告領域５０４を規定している１セットの報告データを転送することができる。このケースでは、報告領域５０４は、地理的なカバレッジエリア５００の２つのセル５１０Ａ、５１０Ｂを含んでいるが、本件開示はこれに限定されない。他の態様では、報告領域は、例えば、地理領域５０２に類似した、１つ以上のセルのサブセットを含むことができる。
【００６０】
報告領域５０４に入ると、ＵＥ５０６は、ダウンリンク信号測定の結果をアップロードすることができる。典型的に、このアップロードは、セル５１０Ｂを担当している基地局に結果を送信することを含むことができる；しかしながら、基地局以外の他のワイヤレスネットワークインターフェース（例えば、ワイヤレス中継器、ワイヤレスリレー）を代わりに利用することができる。地理領域５０２および報告領域５０４の両方を用いることによって、ネットワークエンティティは、ダウンリンク信号測定値を報告するためのアップリンク負荷を制限することができる。特に、例えば、地理領域５０２が多くのＵＥを含んでいる場合である。地理領域５０２に入っているすべてのＵＥが各信号解析の測定の結果をすぐにアップロードする場合には、このことより、信頼性のある報告を促進できるとともに、アップリンクのネットワーク負荷を軽減することができる。
【００６１】
図６は、本件開示のさらなる他の態様にしたがった、サンプルの地理的なカバレッジエリア６００の図を図示している。地理的なカバレッジエリア６００は、関心のある地理領域６０２とともに、報告領域６０４を含んでいる。特に、地理領域６０２は、地理的なカバレッジエリア６００の単一のセル６０８Ａを含んでいるとともに、報告領域６０４は、地理的なカバレッジエリア６００の、２つのセル６１０Ａ、６１０Ｂを含んでいる。地理領域６０２および報告領域６０４は、１つ以上のネットワークセルのエリアを含んでいるので、それぞれ、地理領域６０２および報告領域６０４を規定している１セットの地理データおよび１セットの報告データは、セル６０８Ａおよび６１０Ａ、６１０Ｂの各セットに関係している各基地局ＩＤから構成することができる。ここで記述したように、１セットの地理データおよび１セットの報告データは、ＵＥ６０６に転送することができる。このようなデータを受信すると、ＵＥ６０６は、ＵＥ６０６を担当している基地局の担当基地局ＩＤを識別して、ＵＥ６０６のポジションロケーションを、担当基地局ＩＤと（または、例えば、担当基地局によって提供される、担当基地局のポジションロケーションと）関係付けることができる。担当基地局ＩＤを、地理領域６０２および報告領域６０４の各基地局ＩＤと比較することによって、地理領域６０２または報告領域６０４内にＵＥ６０６が存在しているか否かを、ＵＥ６０６は決定することができる。この方法では、ＧＰＳまたは他のナビゲーションツールがないレガシーデバイスでも、地理ベースのダウンリンク信号測定と、ターゲット付けられた報告とに依然として参加し、自動化されたネットワーク信号解析を促進することができる。このような構成は、ここで記述した、信号解析と、ターゲット付けられた報告とに参加するＵＥの数を増やすことができる。さらに、より複雑な、地理ポジショニング座標を用いている他の構成と比較すると、このような構成は、ＵＥ６０６に対して、最小の変更でまたは変更なく達成することができる。したがって、図６の構成は、信号解析と、ターゲット付けられた報告とを達成するための、コスト効率がよいメカニズムを提供する。
【００６２】
図７は、本件開示の特定の態様にしたがった、基地局７０２を含む例示的なシステム７００のブロック図を図示している。基地局７０２は、ワイヤレスネットワークにおける、地理ベースの信号解析と、ターゲット付けられた報告とを提供するように構成することができる。特に、基地局７０２は、基地局７０２によって担当されている１つ以上のＵＥ７０４のダウンリンク信号解析測定値の、記録をまたはログ記録を管理するように構成することができる。このような管理を提供することによって、基地局７０２は、ワイヤレスネットワークによって担当されているカバレッジエリア中の、関心のある地理領域の自動化された信号解析を達成することができる。
【００６３】
基地局７０２（例えば、アクセスポイント、．．．）は、１つ以上の受信アンテナ７０６を通して、ワイヤレス信号をＵＥ７０４から取得する受信機７１０と、送信アンテナ７０８を通して、変調器７２８によって提供された、コード化された／変調されたワイヤレス信号をＵＥ７０４に送る送信機７３０とを備えることができる。受信アンテナ７０６および送信アンテナ７０８は、受信機７１０および送信機７３０とともに、ここで記述したように、ＵＥ７０４とのワイヤレスデータの交換を実現するために、１セットのワイヤレストランシーバを構成することができる。
【００６４】
受信機７１０は、受信アンテナ７０６から情報を取得でき、そして、ＵＥ７０４によって送信されるアップリンクデータを受信する（示していない）信号受信装置をさらに含むことができる。これに加えて、受信機７１０は、受信した情報を復調する復調器７１２に動作可能に関係付けられている。データプロセッサ７１４によって、復調シンボルを解析する。データプロセッサ７１４は、メモリ７１６に結合されており、メモリ７１６は、基地局７０２によって提供または実現される機能に関連する情報を記憶する。
【００６５】
特に、基地局７０２は、地理制御装置７１８を備えることができ、地理制御装置７１８は、基地局７０２によって、または、関係するワイヤレスネットワークの別の基地局によって送信されるダウンリンク信号の解析および記録をトリガするために、および、解析の結果のアップロードをトリガするために、それぞれ、関心のある地理領域、または、報告領域を規定するように構成されている。特に、地理制御装置７１８は、データ管理モジュールを備えることができ、データ管理モジュールは、地理領域を規定している１セットの地理データと、報告領域を規定している１セットの報告データとを、ワイヤレス管理ネットワーク（例えば、基地局７０２に関係付けられているワイヤレスオペレータ）に通信可能に結合されている基地局７０２の通信インターフェース７３２から取得する。
【００６６】
上述したこと加えて、地理制御装置７１８は、コマンドモジュール７２２を備えることができ、コマンドモジュール７２２は、基地局７０２のワイヤレストランシーバを通して、１セットの地理データと１セットの報告データとをＵＥ７０４に送り、ＵＥが地理領域内に存在しているときにはワイヤレスネットワーク信号の１セットの測定値をＵＥ７０４に記録させ、ＵＥが報告領域内に存在しているときには１セットの測定値をＵＥ７０４にアップロードさせる。１つの態様では、１セットの地理データと１セットの報告データとをＵＥ７０４に転送するために、コマンドモジュール７２２は制御プレーンプロトコルを用いる。別の態様では、１セットの地理データと１セットの報告データとをＵＥ７０４に転送するために、コマンドモジュール７２２はユーザプレーンプロトコルを用いることができる。この後の態様では、コマンドモジュール７２２は、サーバアプリケーションを含むことができ、サーバアプリケーションは、ＵＥ７０４に送られるアプリケーションデータパケット中に、１セットの地理データと１セットの報告データとを埋め込む。代替的な態様では、サーバアプリケーションは、ワイヤレス管理ネットワークの一部とすることができ、コマンドモジュール７２２は、１セットの地理データと１セットの報告データとを含むアプリケーションデータパケットをＵＥ７０４に単に中継することができる。
【００６７】
さらなる他の態様にしたがうと、基地局７０２とのアクティブなワイヤレス接続をＵＥ７０４が有している場合には、コマンドモジュール７２２が、ユニキャストメッセージを用いて、１セットの地理データと１セットの報告データとをＵＥ７０４に送る。代替的な態様では、ＵＥ７０４がアイドル状態中である場合には、コマンドモジュール７２２は、ブロードキャストメッセージを用いて、１セットの地理データと１セットの報告データとをＵＥ７０４に送る。
【００６８】
上述したこと加えて、地理制御装置は、バージョンモジュール７２６を備えることができ、バージョンモジュール７２６は、ＵＥ７０４のロケーション識別能力を決定するためにＵＥ７０４に問い合わせて、ロケーション識別能力に関する応答をＵＥ（７０４）から取得する。このケースでは、データ管理モジュール７２０は、１セットの地理データを、ＵＥ７０４のロケーション識別能力に一致したフォーマットに変換する。特に、ＵＥ７０４のロケーション識別能力がＧＰＳ解析を含む場合には、フォーマットは、ＧＰＳの座標を含むことができる。代替的に、ＵＥのロケーション識別能力が緯度および経度の解析を含む場合には、フォーマットは、緯度および経度の座標を含むことができる。さらなる別の代替実施形態として、フォーマットは、１セットの基地局ＩＤを含むことができ、１セットの基地局ＩＤは、ＵＥのロケーション識別能力がネットワークベースのポジショニングに限定される場合に、少なくとも、地理領域のサブセットを担当する。
【００６９】
別の態様では、地理制御装置７１８は、受信モジュール７２４を用いることができる。受信モジュール７２４は、１セットの地理データに関連するアップリンクメッセージをＵＥ７０４から受信するように構成することができる。１つの例として、基地局７０２が報告領域内に存在している場合には、受信モジュール７２４は、基地局７０２のワイヤレストランシーバを通して、１セットの信号測定値をＵＥ７０４から取得する。その後、１セットの信号測定値は、通信インターフェース７３２を通して、ワイヤレス管理ネットワークに転送することができる。少なくとも１つの態様では、基地局７０２によって用いられているユーザプレーンプロトコルを利用して送信された１セットのアプリケーションデータパケット内で、１セットの信号測定値を受け取る。この態様において、受信モジュール７２４は、１セットのアプリケーションデータパケットをワイヤレス管理ネットワークに単にリレーする。
【００７０】
図８は、本件開示の態様にしたがった、ワイヤレス通信のために構成されているＡＴ８０２を含む例示的なシステムのブロック図を図示している。ＡＴ８０２は、ワイヤレスネットワークの１つ以上の基地局８０４（例えば、アクセスポイント）とワイヤレスに結合するように構成することができる。このような構成に基づいて、ＡＴ８０２は、フォワードリンクチャネル上で、基地局８０４からワイヤレス信号を受信し、リバースリンクチャネル上でワイヤレス信号に応答することができる。さらに、ＡＴ８０２は、ここで記述したように、受信したワイヤレス信号を解析したり、地理領域を規定している１セットの地理データまたは報告領域を規定している１セットの報告データを抽出したり、ＡＴ８０２が地理領域または報告領域内に存在しているか否かを決定したり、ネットワーク信号解析を実行するまたはこのような解析を報告したり、あるいはこれらに類したものを行ったりするための、メモリ８１４中に記憶されている命令を含むことができる。
【００７１】
ＡＴ８０２は、信号を受信する少なくとも１つのアンテナ８０６（例えば、ワイヤレス送信／受信インターフェースをまたは入力／出力インターフェースを含むこのようなインターフェースのグループ）と、典型的なアクション（例えば、フィルタリング、増幅、ダウンコンバート等）を受信信号上で実行する受信機８０８とを備えている。一般的に、（集約的にトランシーバと呼ばれる）アンテナ８０６および送信機８３２は、基地局８０４とのワイヤレスデータの交換を促進するように構成することができる。さらに、アンテナ８０６と、受信機８０８と、送信機８３２とともに、復調器８１０および変調器８３０は、基地局８０４とＡＴ８０２との間のデータ交換を実現するために、１セットのワイヤレストランシーバを形成することができる。
【００７２】
アンテナ８０６および受信機８０８は、復調器８１０と結合することができ、復調器８１０は、受信したシンボルを復調し、評価のために、このような信号をデータプロセッサ８１２に提供することができる。データプロセッサ８１２は、ＡＴ８０２の１つ以上のコンポーネント（アンテナ８０６、受信機８０８、復調器８１０、メモリ８１４、地理信号解析装置８１６、変調器８３０、送信機８３２）を制御および／または参照することができることを正しく認識すべきである。さらに、データプロセッサ８１２は、ＡＴ８０２の機能を実行することに関連する情報または制御を含む、１つ以上のモジュール、アプリケーション、エンジン、またはこれらに類するもの（地理信号解析装置８１６）を実行することができる。例えば、このような機能は、ここで記述したような、地理ベースのダウンリンク信号解析をまたはターゲット付けされた報告を含むことができる。
【００７３】
さらに、ＡＴ８０２のメモリ８１４は、データプロセッサ８１２に動作可能に結合されている。メモリ８１４は、送信される、受信された、およびこれらに類することが行われるデータと、遠隔デバイスとのワイヤレス通信を実施するのに適切な命令とを記憶することができる。さらに、メモリ８１４は、記憶すること、または、地理信号解析装置８１６と通信可能に結合することができる。地理信号解析装置８１６は、データプロセッサ８１２によって実行される、地理ベースのダウンリンク信号解析と、ターゲット付けされた報告とを実現するモジュールを備えることができる。特に、モジュールは、受信したワイヤレス信号のデータ解析を実行する測定モジュール８１８を含むことができる。さらに、モジュールは、ＡＴ８０２のポジションロケーションを提供するデータを監視したり、ポジションロケーションを、１セットの地理データによって規定されている地理領域と比較したりする比較モジュール８２０を含むことができる。ポジションロケーションが地理領域内であるときには、トリガモジュール８２２が、ダウンリンク信号の解析を測定モジュール８１８に開始させる。さらには、ポジションロケーションが地理領域外であるときには、終了モジュール８２４が、ダウンリンク信号の解析、あるいは、解析の記録またはログ記録を測定モジュール８１８に終了させる。
【００７４】
本件開示の少なくとも１つの態様では、比較モジュール８２０は、さらに、ポジションロケーションを報告領域と比較し、報告領域内に装置が存在しているか否かを決定する。この態様では、報告領域内に装置が存在している場合に、データ解析から導出された１セットの信号解析データをアップロードする報告モジュール８２８を用いることができる。特定の態様にしたがうと、報告領域は、好ましい報告領域と、デフォルト報告領域と、そしてオプション的に好ましい報告時間とを含む。このようなケースでは、報告モジュール８２８は、代替的に、複数のアクションのうちの１つを実行することができる。第１の代替実施形態として、好ましい報告領域のみに装置が存在している場合には、報告モジュール８２８は、データ解析の結果をアップロードする。第２の代替実施形態として、好ましい報告領域内に装置が存在していない場合には、好ましい報告時間が満了している以外、報告モジュール８２８は、データ解析の結果をアップロードすることをやめる。しかしながら、好ましい報告時間が満了している場合、報告モジュール８２８は、デフォルト報告領域内のどこかに存在していれば、データ解析の結果をアップロードする。
【００７５】
本件開示の他の態様にしたがった、地理信号解析装置８１６は、ポジショニングモジュール８２６を含むことができ、ポジショニングモジュール８２６は、ＡＴ８０２のポジションロケーションを提供するデータを、取得または少なくとも部分的に発生させる。１つの例として、ポジショニングモジュール８２６は、ＧＰＳデバイスのクライアントアプリケーションを備え、ＧＰＳデバイスのクライアントアプリケーションは、ＡＴ８０２のポジションロケーションを提供するデータに対するグローバルポジショニング座標を提供する。別の例として、ポジショニングモジュール８２６は、担当基地局（例えば、基地局８０４）の基地局識別子（基地局ＩＤ）を用いて、ＡＴ８０２のポジションロケーションを基地局ＩＤから推測する。さらなる別の例では、ポジショニングモジュール８２６は、ナビゲーションデバイスのクライアントアプリケーションを備え、ナビゲーションデバイスのクライアントアプリケーションは、ＡＴ８０２のポジションロケーションを提供するデータに対する緯度および経度の座標を提供する。
【００７６】
いくつかの、コンポーネント、モジュールおよび／または通信インターフェース間の対話に関して、先述のシステムまたは装置を記述している。このような、システム、および、コンポーネント／モジュール／インターフェースは、ここで指定したこれらのコンポーネント／モジュールまたはサブモジュールや、指定した、コンポーネント／モジュールまたはサブモジュールうちのいくつかや、ならびに／あるいは付加的なモジュールを含むことができることを正しく認識すべきである。例えば、システムは、地理信号解析装置１０２を備えているＡＴ８０２と、地理制御装置２０６、あるいはこれらのモジュールまたは他のモジュールの異なる組み合わせを備えている基地局７０２とを含むことができる。サブモジュールは、親モジュール内に備えられているというよりむしろ、他のモジュールに通信可能に結合されているモジュールとしても実現することができる。さらには、１つ以上のモジュールを組み合わせて、集約機能性を提供する単一のモジュールにすることができることに留意すべきである。例えば、地理データと報告データとを取得することと、このようなデータをＵＥに送ることとを単一のコンポーネントにより促進するために、データ管理モジュール２１８は、コマンドモジュール２２０を備えることができ、または、逆も同様である。コンポーネントは、明確にここで記述していないが、当業者によって知られている１つ以上の他のコンポーネントと対話もすることができる。
【００７７】
さらに、正しく認識されるように、上記で開示したシステムと下記で開示する方法のさまざまな部分は、人工知能または知識ベースまたはルールベースの、コンポーネント、サブコンポーネント、プロセス、手段、方法論、あるいは、メカニズム（例えば、サポートベクターマシーン、ニューラルネットワーク、エキスパートシステム、ベイジアンビリーフネットワーク、ファジー論理、データ融合エンジン、分類器．．．）を含んでいてもよく、あるいは、これらから構成されていてもよい。ここで既に説明したものに加えて、とりわけ、このようなコンポーネントは、実行されるあるメカニズムまたはプロセスを自動化し、それにより、システムおよび方法の一部を、より適応性があり、効率が良く、インテリジェンスなものにさせることができる。
【００７８】
図９−図１２のフローチャートを参照して、先に記述した例示的なシステムを考慮すると、開示した主題事項にしたがって実現できる方法論を、より正しく認識できるだろう。説明の簡潔さの目的のために、方法論を一連のブロックとして示したり記述したりしたが、１つ以上の態様にしたがったいくつかのブロックは、ここで図示したり記述したりした順序とは異なる順序で、および／または、他のブロックと同時に行われることがあるので、主張する主題事項は、ブロックの順序によって限定されないことを理解および正しく認識すべきである。さらには、以下で記述した方法論を実現するために、図示したブロックすべてが必要なわけではない。これに加えて、このような方法論をコンピュータに移動および移送することを促進するために、以下で開示した方法論およびこの明細書全体を通して開示した方法論を、製造業者の物上に記憶させることができることを、さらに正しく認識すべきである。ここで用いる製造業者の物という用語は、何らかのコンピュータ読み取り可能デバイスから、搬送波と関連するデバイスから、または、記憶媒体から、アクセス可能なコンピュータプログラムを含むことを意図している。
【００７９】
図９は、本件開示の態様にしたがった、地理ベースのダウンリンク信号解析を提供する例示的な方法論９００のフローチャートを図示している。９０２では、方法９００は、通信インターフェースを用いて、地理領域を規定しているデータを、ワイヤレスネットワーク内で動作しているＵＥに転送することを含むことができる。本件開示の少なくとも１つの態様では、データは、ワイヤレスネットワークインフラストラクチャ（例えば、ネットワーク基地局またはネットワークセル）から独立している地理座標で地理領域を規定している。９０４では、方法９００は、ＵＥが地理領域内に存在しているときに、通信インターフェースを用いて、ワイヤレスネットワークの信号をＵＥに測定させるトリガポリシーをＵＥに転送し、１セットの信号測定値を記録させることを含むことができる。
【００８０】
いくつかの態様では、通信インターフェースを用いることは、特に、通信インターフェースを用いて、ワイヤレスネットワークの基地局を通して、データとトリガポリシーとをＵＥに転送することを含むことができることを正しく認識すべきである。少なくとも１つの態様では、トリガポリシーは、ＵＥに対する明示的なコマンドを含むことができる一方で、他の態様では、トリガポリシーは、地理領域を規定しているデータをＵＥに転送することに基づく暗黙的なコマンドである。いくつかの態様では、トリガポリシーは、ＵＥの地理ロケーションに加えて１つ以上のポリシー条件に基づいて、信号解析（例えば、信号測定）を、または、このような信号解析の記録をトリガするためのポリシーを含むことができる。少なくとも１つのこのような態様では、トリガポリシーは、１つ以上のポリシー条件に基づいて、信号解析または記録のリアルタイムなトリガを生じさせることができる明示的なトリガコマンドを含むことができる。地理ロケーションに加えて、１つ以上の条件は、利用可能なＵＥのバッテリーエネルギー、利用可能な記憶容量、利用可能なＵＥメモリ容量、記録する時刻、またはこれらに類するものも含むことができる。さらに、トリガポリシーは、地理ロケーションに加えて、報告する時刻のような、信号解析および記録の結果を報告するための１つ以上の条件を提供することができる。したがって、説明のための例として、地理領域内に存在していてＵＥバッテリー電力がしきい値レベルよりも上であるときに、信号解析または記録を開始すべきことをトリガポリシーが示している場合に、地理ロケーションに入りさえして、ＵＥバッテリー電力がしきい値レベルよりも上でありさえすれば、ＵＥは、信号測定をおよびこれらの記録を開始するだろう。トリガポリシーに対する条件の他の例も本件開示の範囲内にあることから、この例は、排他的なものではない。
【００８１】
さらに、通信インターフェースを用いて、地理領域を規定しているデータを転送することは、最初に、通信インターフェースを用いて、地理領域を規定しているデータを、ワイヤレスネットワークに関連するワイヤレス管理ネットワークから取得することを含むことができる。さらには、通信インターフェースを用いて、地理領域を規定しているデータを転送することは、ワイヤレスネットワークの拡張制御プレーンプロトコルを用いることも含むことができ、または代替的に、地理領域を規定しているデータを含めるように構成されているワイヤレスネットワークのユーザプレーンプロトコルを用いることを含むことができる。この後の態様において、方法９００は、オプション的に、ネットワークサーバアプリケーションを開始して、地理領域を規定しているデータを含んでいる、または、トリガポリシーを含んでいる１セットのユーザプレーンデータパケットを発生させることを含むことができる。その後、ネットワークサーバアプリケーションを利用して、１セットのユーザプレーンデータパケットをＵＥに送り、１セットの信号測定値を含んでいる１セットのアップロードされたデータパケットをＵＥから受信することができる。
【００８２】
さらなる他の態様にしたがうと、方法９００は、地理座標に対してＧＰＳの座標を用いることを含むことができる。しかしながら、代替的な態様では、方法９００は、地理座標に対して、地理的な緯度および経度の座標を用いることを含むことができる。本件開示の１つの特定の態様にしたがうと、方法９００は、報告領域を規定している１セットのデータをＵＥに転送することも含むことができる。ＵＥが報告領域内に存在しているときのみ、ＵＥは、１セットの信号測定値をアップロードする。方法９００は、ＧＰＳの座標、緯度および経度の座標、適切なセットの基地局ＩＤを用いて、報告領域を規定することができることを正しく認識すべきである。
【００８３】
図１０は、本件開示の他の態様にしたがった、さらなる別の例示的な方法論１０００のフローチャートを図示している。１００２では、方法１０００は、ワイヤレス管理ネットワークとの通信接続を形成することを含むことができる。１００４では、方法１０００は、地理領域を規定している１セットの地理データと、報告領域を規定している１セットの報告データとを、ワイヤレス管理ネットワークから取得することを含むことができる。さらに、１００６では、方法１０００は、ワイヤレスネットワーク内で動作しているＵＥのロケーション識別能力を取得することを含むことができる。１００８では、方法１０００は、１セットの地理データまたは１セットの報告データが、ＵＥのロケーション識別能力と一致したフォーマットであるか否かについて決定を行うことができる。そうである場合には、方法１０００は、１０１２に進むことができる。そうでない場合には、方法１０００は、１０１０に進む。
【００８４】
１０１０では、方法１０００は、１セットの地理データまたは１セットの報告データを修正して、ＵＥのロケーション識別能力に整合させることを含むことができる。修正することは、例えば、ＧＰＳの座標を緯度および経度の座標に変換すること、または、ＧＰＳの座標によって規定されている地理領域に少なくとも部分的にオーバーラップしている１セットの基地局ＩＤに変換すること、をさらに含むことができる。代替的に、修正することは、緯度および経度の座標をＧＰＳの座標に変換することを、または、緯度および経度の座標に変換すること等をさらに含むことができる。
【００８５】
１０１２では、方法１０００は、１セットの地理データと１セットの報告データとをＵＥに転送することを含むことができる。１０１４では、方法１０００は、担当基地局が報告領域中に存在している場合に、アップロードをＵＥから受信することを含むことができる。１０１６では、方法１０００は、アップロードをワイヤレス管理ネットワークにリレーすることを含むことができる。
【００８６】
図１１は、さらなる他の開示した態様にしたがった、地理ベースのダウンリンク信号解析を実現するための例示的な方法論１１００のフローチャートを図示している。１１１２では、方法１１００は、ワイヤレストランシーバを用いて、ワイヤレスネットワークの地理領域を規定している１セットの地理データを取得することを含むことができる。したがって、地理領域は、ワイヤレスネットワークのセルのサイズよりも細かい分解能で規定することができるので、セルのうちの１つ以上のサブセットを含む地理領域を規定することができる。
【００８７】
先述の１つの例として、１セットの地理データを取得することは、ワイヤレスネットワークの制御プレーンプロトコルを用いることを含むことができる。例えば、１セットの地理データは、ＵＥにターゲット付けられたユニキャストメッセージ内に存在することができ、または、ＵＥがアイドル状態中である場合にはブロードキャストメッセージ内に存在することができる。少なくとも１つの態様では、地理データは、ワイヤレスネットワークの基地局インフラストラクチャから独立させることができる。代替的な例として、１セットの地理データを取得することは、ユーザプレーンプロトコルを用いることを含むことができる。１セットの地理データは、ネットワークサーバによって発生された１つ以上のデータパケットのペイロード内に含まれている。この代替的な例にしたがうと、方法１１００は、クライアントアプリケーションを用いて、１セットの地理データを１つ以上のデータパケットから抽出することをさらに含むことができる。
【００８８】
１１０４では、方法１１００は、データプロセッサを用いて、ＵＥのロケーションを示しているデータを解析して、ロケーションを地理領域と比較することを含むことができる。１つの特定の例として、ＵＥのロケーションを示しているこのデータは、ＵＥを担当している基地局のＩＤを含むことができる。さらには、地理領域を規定している地理データは、ワイヤレスネットワークの１セットの基地局ＩＤも含むことができる。
【００８９】
さらに、１１０６では、方法１１００は、ＵＥが地理領域内に存在している場合には、データプロセッサを用いて、ワイヤレスネットワークの信号解析測定を開始して、ワイヤレスネットワークにアップロードするための１セットの信号測定値を記録することを含むことができる。さらに詳細には、ワイヤレスネットワークの信号を測定することは、信号強度、信号強度の品質、信号ピークレベルの品質、コールドロップレート、セットアップレート、またはスループット、またはこれらに類するもの、またはこれらを適切に組み合わせたもの、のうちの少なくとも１つを測定することをさらに含むことができる。
【００９０】
特定の態様にしたがうと、方法１１００は、１セットの信号測定値をアップロードするために、ワイヤレスネットワークの報告領域を規定している１セットの報告データを取得することをさらに含むことができる。このような態様では、方法１１００は、ＵＥが報告領域内に存在している以外は、１セットの信号測定値をワイヤレスネットワークにアップロードすることをやめることも含むことができる。少なくとも１つのこのような態様では、報告領域は、好ましい報告領域と好ましい報告時間とを含む。このような態様では、方法１１００は、代替的に、好ましい報告時間が満了していない場合にはＵＥが報告領域内に存在している以外は、１セットの信号測定値をアップロードすることをやめることを含むことができる。同様に、好ましい報告時間が満了している場合には、方法１１００は、代わりに、ワイヤレスネットワーク内のどこかに存在していれば、１セットの信号測定値をアップロードすることを含むことができる。
【００９１】
図１２は、本件開示の１つ以上のさらなる態様にしたがった、サンプルの方法論１２００のフローチャートを図示している。１２０２では、方法１２００は、ワイヤレス通信を通して、１セットの地理データと１セットの報告データとを受信することを含むことができる。１２０４では、方法１２００は、ＵＥのポジションロケーションを示しているロケーションデータを取得することを含むことができる。１２０６では、方法１２００は、ＵＥのロケーションを、１セットの地理データによって規定されている地理領域と比較することを含むことができる。１２０８では、方法１２００は、ＵＥのポジションロケーションが地理領域とオーバーラップしているか否かを決定することを含むことができる。ＵＥのポジションロケーションが地理領域とオーバーラップしている場合には、方法１２００は、１２１０に進むことができる。そうでない場合には、方法１２００は、参照番号１２０６に戻る。
【００９２】
１２１０では、方法１２００は、ダウンリンク信号を解析することと、解析の結果のログ記録をする、または、記憶することとを含むことができる。１２１２では、方法１２００は、ＵＥロケーションを、地理領域および報告領域と比較することを含むことができる。報告領域は、好ましい報告領域と好ましい報告時間とを含む。１２１４では、方法１２００は、ＵＥのポジションロケーションが好ましい報告領域とオーバーラップしているか否かを決定することを含むことができる。ＵＥのポジションロケーションが好ましい報告領域とオーバーラップしている場合、方法１２００は、１２１８に進むことができる；そうでない場合には、方法１２００は、１２１６に進む。
【００９３】
１２１６では、方法１２００は、好ましい時間が満了しているか否かを決定することを含むことができる。好ましい時間が満了している場合には、方法１２００は、参照番号１２１８に進むことができる。そうでない場合には、方法１２００は、１２２０に進む。
【００９４】
１２１８では、方法１２００は、解析の結果をアップロードすることを含むことができる。１２２０では、方法１２００は、ＵＥのポジションロケーションが地理領域とオーバーラップしているか否かを決定することを含むことができる。ＵＥのポジションロケーションが地理領域とオーバーラップしている場合には、方法１２００は、参照番号１２１２に戻る；そうでない場合には、方法１２００は、１２２２に進む。１２２２では、方法１２００は、ダウンリンク信号の解析を、または、ダウンリンク信号の解析を記憶することを終了することを含むことができ、参照番号１２０６に戻ることができる。
【００９５】
図１３および図１４は、本件開示の態様にしたがった、ワイヤレス通信のために、改善された、肯定応答プロトコルおよび再送信プロトコルを実現する各例示的なシステム１３００、１４００を図示している。例えば、システム１３００および１４００は、ノード、基地局、アクセスポイント、ユーザ端末、移動体インターフェースカードと結合されているパーソナルコンピュータ、またはこれらに類するもののような、ワイヤレス通信ネットワーク内におよび／またはワイヤレス受信機内に少なくとも部分的に存在することができる。システム１３００、１４００は、プロセッサ、ソフトウェア、またはこれらの組み合わせ（例えば、ファームウェア）によって実現される機能を表す機能ブロックとすることができる機能ブロックを備えていることを表していることを正しく認識すべきである。
【００９６】
システム１３００は、ワイヤレスネットワークの地理ベースの信号解析を管理することを含む、システム１３００の機能を実行するように構成されているモジュールを記憶するメモリ１３０２を備えることができる。さらに、システム１３００は、モジュールを実行するプロセッサ１３０８を備えることができる。特に、システム１３００は、地理領域を規定しているデータを、ワイヤレスネットワーク内で動作しているＵＥに転送するモジュール１３０４を備える。地理領域を規定しているデータは、特に、ワイヤレスネットワークインフラストラクチャから独立して地理領域を規定しているデータを含むことができる。さらに、システム１３００は、ＵＥが地理領域内に存在しているときにワイヤレスネットワークの信号をＵＥに測定させ、１セットの信号測定値を記録させるトリガポリシーをＵＥに転送するモジュール１３０６を備えることができる。
【００９７】
システム１４００は、システム１４００の機能を実現するように構成されているモジュールを記憶するメモリ１４０２と、モジュールを実行するためのデータプロセッサ１４１０とを備えることができ、機能は、システム１４００のポジションロケーションを決定することと、ダウンリンク信号測定値を記録すること、ポジションロケーションに少なくとも部分的に基づいて、このような測定値のターゲット付けされた報告をすることとを含むことができる。さらに詳細には、システム１４００は、システム１４００のワイヤレストランシーバを用いて、ワイヤレスネットワークの基地局インフラストラクチャから独立して地理領域を規定している１セットの地理データを取得するモジュール１４０４を備えることができる。これに加えて、システム１４００は、データプロセッサを用いて、ＵＥのロケーションを示しているデータを解析して、ロケーションを地理領域と比較するモジュール１４０６を備えることができる。さらに、システム１４００は、ＵＥが地理領域内に存在している場合には、データプロセッサ１４１０を用いて、ワイヤレスネットワークの信号解析測定を開始し、ワイヤレスネットワークにアップロードする１セットの信号測定値を記録する、モジュール１４０８を備えることができる。
【００９８】
図１５は、ここで開示したいくつかの態様にしたがった、ワイヤレス通信を促進できる例示的なシステム１５００のブロック図を図示している。ダウンリンク上では、アクセスポイント１５０５において、送信（ＴＸ）データプロセッサ１５１０が、トラフィックデータを、受け取り、フォーマット化し、コード化し、インターリーブし、変調（またはシンボルマッピング）して、変調シンボル（「データシンボル」）を提供する。シンボル変調器１５１５は、データシンボルおよびパイロットシンボルを受け取って処理し、シンボルのストリームを提供する。シンボル変調器１５１５は、データシンボルとパイロットシンボルとをマルチプレクスし、これらを送信機ユニット（ＴＭＴＲ）１５２０に提供する。それぞれのシンボルは、データシンボル、パイロットシンボル、またはゼロの信号値とすることができる。パイロットシンボルは、それぞれのシンボル期間中に、連続的に送られることがある。パイロットシンボルは、周波数分割多重化（ＦＤＭ）、直交周波数分割多重化（ＯＦＤＭ）、時分割多重化（ＴＤＭ）、コード分割多重化（ＣＤＭ）することができ、あるいは、これらの適切に組み合わせたものを、あるいはこれらに類する変調技術および／または送信技術を実行することができる。
【００９９】
ＴＭＴＲ１５２０が、シンボルのストリームを受け取り、このシンボルのストリームを１つ以上のアナログ信号に変換して、アナログ信号をさらに調整（例えば、増幅、フィルタリング、および周波数アップコンバート）して、ワイレスチャネルを通した送信に適しているダウンリンク信号を発生させる。その後、アンテナ１５２０を通して、ダウンリンク信号を端末に送信する。端末１５３０において、アンテナ１５３５が、ダウンリンク信号を受信し、受信した信号を受信機ユニット（ＲＣＶＲ）１５４０に提供する。受信機ユニット１５４０が、受け取った信号を調整（例えば、フィルタリング、増幅、および周波数ダウンコンバート）して、調整した信号をデジタル化して、サンプルを取得する。シンボル復調器１５１４は、チャネル推定のために、受け取ったパイロットシンボルを復調して、プロセッサ１５５０に提供する。シンボル復調器１５４５は、プロセッサ１５５０からの、ダウンリンクに対する周波数応答推定値をさらに受け取り、受け取ったデータシンボル上でデータ復調を実行して、（送信データシンボルの推定値である）データシンボル推定値を取得し、データシンボル推定値をＲＸデータプロセッサ１５５５に提供し、ＲＸデータプロセッサ１５５５は、データシンボル推定値を復調（すなわち、シンボルデマッピング）、デインターリーブ、およびデコードして、送信トラフィックデータを復元させる。シンボル復調器１５４５とＲＸデータプロセッサ１５５５とによる処理は、それぞれ、アクセスポイント１５０５における、シンボル変調器１５１５とＴＸデータプロセッサ１５１０とによる処理と相補的である。
【０１００】
アップリンク上では、ＴＸデータプロセッサ１５６０が、トラフィックデータを処理して、データシンボルを提供する。シンボル変調器１５６５が、データシンボルを受け取り、パイロットシンボルとマルチプレクスし、変調を実行して、シンボルのストリームを提供する。送信機ユニット１５７０が、その後、シンボルのストリームを受け取り、処理して、アップリンク信号を発生させ、アップリンク信号をアンテナ１５３５によってアクセスポイント１５０５に送信する。特に、アップリンク信号は、ＳＣ−ＦＤＭＡ要件にしたがったものとすることができ、記述したように、周波数ホッピングメカニズムを含むことができる。
【０１０１】
アクセスポイント１５０５において、端末１５３０からのアップリンク信号を、アンテナ１５２５によって受け取り、受信機ユニット１５７５によって処理して、サンプルを取得する。その後、シンボル復調器１５８０が、サンプルを処理して、受け取ったパイロットシンボルとアップリンクに対するデータシンボル推定値とを提供する。ＲＸデータプロセッサ１５８５が、データシンボル推定値を処理して、端末１５３０によって送信されたトラフィックデータを復元させる。プロセッサ１５９０が、アップリンク上で送信しているそれぞれのアクティブな端末に対するチャネル推定を実行する。複数の端末は、アップリンクの各割り当てられたセットのパイロットサブバンドにおけるアップリンク上で同時にパイロットを送信することができ、ここで、パイロットサブバンドを、インターレースすることができる。
【０１０２】
プロセッサ１５９０およびプロセッサ１５５０は、それぞれ、アクセスポイント１５０５と端末１５３０とにおける動作を命令（例えば、制御、調整、管理等）する。各プロセッサ１５９０およびプロセッサ１５５０は、プログラムコードおよびデータを記憶する（示していない）メモリユニットに関係することができる。プロセッサ１５９０および１５５０は、それぞれ、アップリンクおよびダウンリンクに対する、周波数推定値と、時間ベースのインパルス応答推定値と導出するためにも計算を実行することができる。
【０１０３】
多元接続システム（例えば、ＳＣ−ＦＤＭＡ、ＦＤＭＡ、ＯＦＤＭＡ、ＣＤＭＡ、ＴＤＭＡ、等）に対しては、複数の端末が、アップリンク上で同時に送信することができる。このようなシステムに対しては、パイロットサブバンドが、異なる端末間で共有されることもある。それぞれの端末に対するパイロットサブバンドが、（おそらくは、帯域端を除く）動作帯域全体にわたるケースでは、チャネル推定技術を使用することができる。このようなパイロットサブバンド構造は、それぞれの端末に対する周波数ダイバシティを取得するために好ましいだろう。ここで記述した技術は、さまざまな手段によって実現することができる。例えば、これらの技術は、ハードウェア、ソフトウェア、またはこれらを組み合わせたもので実現することができる。ハードウェアインプリメンテーションのために、ハードウェアインプリメンテーションは、デジタル、アナログ、またはデジタルおよびアナログの双方とすることができ、チャネル推定に使用する処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、ここで記述した機能を実行するように設計されている他の電子ユニット、あるいはこれらを組み合わせたもの内で実現することができる。ソフトウェアでは、インプリメンテーションは、ここで記述した機能を実行するモジュール（例えば、手順、関数等）を通したものとすることができる。ソフトウェアコードは、メモリユニット中に記憶され、プロセッサ１５９０および１５５０によって実行することができる。
【０１０４】
図１６は、１つ以上の様態とともに利用することができるような、複数の基地局１６１０（例えば、ワイヤレスアクセスポイント、ワイヤレス通信装置）と、複数の端末１６２０（例えば、ＡＴ）とのワイヤレス通信システム１６００を図示している。ＢＳ１６１０は、一般的に、端末と通信する固定局であり、アクセスポイント、ノードＢとも呼ぶことがあり、または他のいくつかの専門用語で呼ぶことがある。図１６中では、１６０２ａ、１６０２ｂ、および１６０２ｃとラベル付けした３つの地理エリアとして図示した、それぞれのＢＳ１６１０は、特定の地理エリアまたはカバレッジエリアに対する通信カバレッジを提供する。「セル」という用語は、用語を使用する文脈に応じて、ＢＳまたはそのカバレッジエリアを意味することがある。システム容量を向上させるために、ＢＳの地理エリア／カバレッジエリアは、複数のより狭いエリア（例えば、図１６中のセル１６０２ａにしたがった、３つのより狭いエリア）、１６０４ａ、１６０４ｂ、および１６０４ｃにパーティションすることができる。それぞれのより狭いエリア（１６０４ａ、１６０４ｂ、１６０４ｃ）は、各基地トランシーバーサブシステム（ＢＴＳ）によって担当されることがある。「セクタ」という用語は、用語を使用する文脈に応じて、ＢＴＳまたはそのカバレッジエリアを意味することがある。セクタ化されたセルについては、そのセルのすべてのセクタに対するＢＴＳは、典型的に、セルに対する基地局内で同じ場所に位置付けられている。ここで記述した送信技術は、セクタ化されたセルを有するシステムとともに、セクタ化されていないセルを有するシステムに使用することができる。簡略のために、本件記述では、特定の明記がない限り、「基地局」という用語は、一般的に、セクタを担当する固定局に対して使用するとともに、セルを担当する固定局に対して使用する。
【０１０５】
端末１６２０は、典型的に、システム全体にわたって分散している。それぞれの端末１６２０は、固定または移動体とすることができる。端末１６２０は、移動局、ユーザ機器、ユーザデバイス、ワイヤレス通信装置、アクセス端末、ユーザ端末と呼ぶことがあり、または他のいくつかの専門用語で呼ぶことがある。端末１６２０は、ワイヤレスデバイス、セルラ電話機、パーソナルデジタルアシスタント（ＰＤＡ）、ワイヤレスモデムカード等とすることができる。それぞれの端末１６２０は、ダウンリンク（例えば、ＦＬ）およびアップリンク（例えば、ＲＬ）上で、任意の所定の動きで、０の、１つの、または複数のＢＳ１６１０と通信することができる。ダウンリンクは、基地局から端末への通信リンクを意味し、アップリンクは、端末から基地局に通信リンクを意味する。
【０１０６】
中央アーキテクチャに対しては、システム制御装置１６３０が、基地局１６１０に結合し、調整および制御をＢＳ１６１０に提供する。分散アーキテクチャに対しては、ＢＳ１６１０は、（例えば、ＢＳ１６１０に通信可能に結合しているワイヤードまたはワイヤレスバックホールネットワークを通して）必要に応じて、互いに通信することができる。フォワードリンク上でのデータ送信は、最大のデータレートで、または、最大のデータレートの近くで、１つのアクセスポイントから１つのアクセス端末に向けて行われることが多い。このデータレートは、フォワードリンクまたは通信システムによってサポートすることができる。フォワードリンク（例えば、制御チャネル）の付加的なチャネルは、複数のアクセスポイントから１つのアクセス端末に送信することができる。リバースリンクデータ通信は、１つのアクセス端末から１つ以上のアクセスポイントに向けて行われる。
【０１０７】
図１７は、さまざまな様態にしたがった、計画されたまたは半ば計画されたワイヤレス通信環境１７００の図である。ワイヤレス通信環境１７００は、１つ以上のセルおよび／またはセクタ中に１つ以上のＢＳ１７０２を含むことができ、１つ以上のＢＳ１７０２は、ワイヤレス通信信号を、互いにおよび／または１つ以上の移動体デバイス１７０４に受信、送信、中継等する。図示したように、それぞれのＢＳ１７０２は、１７０６ａ、１７０６ｂ、１７０６ｃ、および１７０６ｄとラベル付けした４つの地理エリアとして図示した、特定の地理エリアに対する通信カバレッジを提供することができる。それぞれのＢＳ１７０２は、送信機チェーンと受信機チェーンとを備えることができ、そして、送信機チェーンおよび受信機チェーンのそれぞれは、当業者によって認識されるように、信号送信および受信に関係する複数のコンポーネント（例えば、プロセッサ、変調器、マルチプレクサ、復調器、デマルチプレクサ、アンテナ等、上記の図１５参照）を備えることができる。移動体デバイス１７０４は、例えば、セルラ電話機、スマートフォン、ラップトップ、ハンドヘルド通信デバイス、ハンドヘルドコンピューティングデバイス、衛星無線、グローバルポジショニングシステム、ＰＤＡ、またはワイヤレス通信環境１７００を通して通信するための他の何らかの適切なデバイスとすることができる。ここで述べたワイヤレス通信における、自動化されたダウンリンク信号の解析およびターゲット付けされた報告を促進するために、ワイヤレス通信環境１７００は、ここで記述したさまざまな様態とともに用いることができる。
【０１０８】
本件開示において使用したような、「コンポーネント」や、「システム」や、「モジュール」という用語や、これに類するものは、コンピュータ関連エンティティのことを意味することを意図しており、コンピュータ関連エンティティは、ハードウェア、ソフトウェア、実行中のソフトウェア、ファームウェア、ミドルウェア、マイクロコード、および／またはこれらを組み合わせたもの、のいずれのものである。例えば、モジュールは、プロセッサ上で実行しているプロセスや、プロセッサや、オブジェクトや、実行可能ファイルや、実行のスレッドや、プログラムや、デバイス、および／またはコンピュータとすることができるが、これらに限定されない。１つ以上のモジュールは、実行のプロセスまたはスレッド内に存在することができ；モジュールは、１つの電子コンピュータ上で局所化すること、または、２つ以上の電子デバイス間で分散させることができる。さらに、これらのモジュールは、そこで記憶されたさまざまなデータ構造を有するさまざまなコンピュータ読み取り可能媒体から実行することができる。モジュールは、１つ以上のデータパケット（例えば、ローカルシステム中の、分散システム中の別のコンポーネントと対話している１つのコンポーネントからのデータ、または、インターネットのようなネットワークを通して信号により他のシステムと対話している１つのコンポーネントからのデータ）を有する信号にしたがうような、ローカルまたはリモートプロセスを通して通信することができる。さらに、ここで記述したシステムのコンポーネントまたはモジュールは、これに関して記述したさまざまな態様、目的、効果等を達成することを容易にするために、付加的なコンポーネント／モジュール／システムによって再配列または補完されてもよいが、当業者によって正しく認識されるように、所定の図面で述べた正確な構成に限定されない。
【０１０９】
さらに、ＵＥに関連してさまざまな態様をここで記述する。ＵＥは、システム、加入者ユニット、加入者局、移動局、移動体、移動通信デバイス、移動体デバイス、遠隔局、遠隔端末、アクセス端末（ＡＴ）、ユーザエージェント（ＵＡ）、ユーザデバイス、またはユーザ端末（ＵＥ）とも呼ばれることがある。加入者局は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、またはワイヤレスモデムに接続されている他の処理デバイス、または処理デバイスとのワイヤレス通信を促進する類似したメカニズムとすることができる。
【０１１０】
１つ以上の例示的な実施形態では、記述した機能は、ハードウェア、ソフトウェア、ファームウェア、ミドルウェア、マイクロコード、またはこれらの任意の適切な組み合わせで実現することができる。ソフトウェアで実現する場合、機能は、１つ以上の命令またはコードとしてコンピュータ読み取り可能媒体上に記憶でき、あるいは、１つ以上の命令またはコードとしてコンピュータ読み取り可能媒体上に送信されてもよい。コンピュータ読み取り可能媒体は、１つの場所から別の場所へのコンピュータプログラムの移送を促進する何らかの媒体を含むコンピュータ記憶媒体および通信媒体の双方を含む。記憶媒体は、コンピュータによってアクセスできる何らかの物理媒体であってもよい。例示によると、このようなコンピュータ記憶媒体は、ＲＡＭ、ＲＯＭ、ＥＥＰＲＯＭ、ＣＤ−ＲＯＭまたは他の光ディスク記憶デバイス、磁気ディスク記憶デバイスまたは他の磁気記憶デバイス、スマートカード、およびフラッシュメモリデバイス（例えば、カード、スティック、キードライブ．．．）、あるいはコンピュータによってアクセスできる命令またはデータ構成の形態で所望のプログラムコードを伝送または記憶するために使用できる他の何らかの媒体を含むことができるが、これらに限定されない。例えば、ソフトウェアが、ウェブサイト、サーバ、あるいは同軸ケーブルや、ファイバ光ケーブルや、撚り対や、デジタル加入者線（ＤＳＬ）、あるいは赤外線、無線、マイクロ波のようなワイヤレス技術を使用している他の遠隔ソースから送信された場合、同軸ケーブル、ファイバ光ケーブル、撚り対、ＤＳＬ、あるいは赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク、光ディスク、デジタル汎用ディスク（ＤＶＤ）、フロッピ（登録商標）ディスク、ブルーレイディスクを含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読み取り可能媒体の範囲内に含められるべきである。
【０１１１】
ハードウェアインプリメンテーションのために、ここに開示した様態に関連して記述した、処理ユニットのさまざまな例示的な論理、論理ブロック、モジュール、および回路は、１つ以上のＡＳＩＣ、ＰＬＤ、ＤＳＰ、ＤＳＬＰ、ＦＰＧＡ、ディスクリートゲートまたはトランジスタ論理、ディスクリートハードウェアコンポーネント、汎用プロセッサ、制御装置、マイクロ制御装置、マイクロプロセッサ、ここに記述した機能を行うように設計された他の電子ユニット内で、あるいは、これらのものを組み合わせたもの内で、実現することが、あるいは、行うことができる。汎用プロセッサはマイクロプロセッサとすることができるが、代替実施形態では、プロセッサは、何らかの従来のプロセッサ、制御装置、マイクロ制御装置、または状態機械とすることができる。プロセッサはまた、コンピューティングデバイスを組み合わせたものとして、例えば、ＤＳＰとマイクロプロセッサを組み合わせたものとして、複数のマイクロプロセッサとして、ＤＳＰコアを備えた１つ以上のマイクロプロセッサとして、あるいは、他の何らかかの適切な構成として実現することができる。さらに、少なくとも１つのプロセッサは、上述したステップおよび／またはアクションのうちの１つ以上を実行するように動作可能な１つ以上のモジュールを備えてることができる。
【０１１２】
さらに、ここで記述したさまざまな様態または特徴は、標準プログラミングおよび／またはエンジニアリング技術を使用している、方法、装置、または製造業者の物として実現することができる。さらには、ここで開示した態様に関連して記述した方法またはアルゴリズムのステップおよび／またはアクションは、ハードウェアで、プロセッサにより実行されるソフトウェアモジュールで、あるいは、２つのものを組み合わせたもので直接的に具現化することができる。さらに、いくつかの態様では、方法またはアルゴリズムのステップまたはアクションは、機械読み取り可能媒体またはコンピュータ読み取り可能媒体上で、少なくとも１つのコードまたは命令、あるいはコードまたは命令の何らかの組み合わせ、あるいはコードまたは命令のセットとして存在することができる。コードまたは命令は、コンピュータプログラムプロダクトに組み込むことができる。ここで用いる「製造業者の物」という用語は、何らかの適切なコンピュータ読み取り可能デバイスまたはコンピュータ読み取り可能媒体からアクセス可能なコンピュータプログラムを含むことを意図している。
【０１１３】
さらに、例として、事例として、あるいは実例として機能することを意味するために、「例」という用語をここで使用する。「例」として、ここで記述したいずれの態様または設計は、他の態様または設計と比較して、必ずしも、好ましいまたは効果的なものと解釈されるものではない。むしろ、例示的なという用語の使用は、本概念を具体的に示すことを意図している。本出願で使用したような「または」という用語は、排他的な「または」というよりむしろ、包含的な「または」を意味することを意図している。すなわち、特定の明記がない限り、または、文脈から明らかでない限り、「ＸがＡまたはＢを使用する」は、自然な包含的順列のうちのいずれかを意味することを意図している。すなわち、ＸがＡを使用する；ＸがＢを使用する；または、ＸがＡおよびＢの双方を使用する場合、「ＸがＡまたはＢを使用する」は先述の例のうちのいずれのものによって適合される。さらに、本願明細書および添付した特許請求の範囲で用いている冠詞「ａ」および「ａｎ」は、特定の明記がない限り、または、単数形に向けられる文脈から明らかでない限り、一般的に、「１つ以上」を意味すると解釈すべきである。
【０１１４】
さらに、ここで用いたように、「推測する」または「推定する」に対する用語は、一般的に、イベントまたはデータによって入手されるような１組の観測から、システム、環境、またはユーザの状態についての推論または推定のプロセスを意味する。推定を用いて、特定の状況またはアクションを識別することができ、または、例えば、状態に対する確率分布を発生させることができる。推定は、確率的、すなわち、データおよびイベントの考慮に基づいた、関心のある状態に対する確率分布の計算である。推定は、１組のイベントまたはデータからより高いレベルのイベントを構成するために用いられる技術のことを意味することがある。時間的近接さでイベントが相関されようとなかろうと、そして、１つまたはいくつかのイベントおよびデータ源からイベントおよびデータが来ようと来なかろうと、このような推定は、結果的に、１組の観察されるイベントおよび／または記憶されるイベントデータからの新しいイベントまたはアクションの構成となる。
【０１１５】
上述していることは、主張する主題事項の様態の例を含む。主張する主題事項を記述する目的のために、コンポーネントまたは方法論のすべての考えられる組み合わせを記述することは当然不可能であるが、当業者は、開示した主題事項のさらなる多くの組み合わせ、および置換が可能であることを認識するかもしれない。したがって、記述した主題事項は、特許請求の範囲の精神および範囲内にあるすべてのこのような変更、修正およびバリエーションを含むことを意図している。さらに、「含む」、「有する」または「有している」という用語が詳細な説明または特許請求の範囲のいずれかで使用される限り、このような用語は、請求項中で移行語として用いられるときに「具備する」が解釈されるように、用語「具備する」に類似して包括的であることが意図されている。
以下に、本願出願の当初の特許請求の範囲に記載された発明を付記する。
[１]ワイヤレス通信の方法において、
通信インターフェースを用いて、ワイヤレスネットワーク内で動作しているユーザ機器（ＵＥ）に向けて、地理領域を規定しているデータを転送することと、
前記ＵＥが前記地理領域内に存在しているときに前記ワイヤレスネットワークの信号測定値を前記ＵＥに記録またはログ記録をさせ、前記ＵＥに１セットの信号測定値を発生させるトリガポリシーを、前記通信インターフェースを用いて前記ＵＥに向けて転送することとを含み、
前記データは、ワイヤレスネットワークインフラストラクチャから独立している地理座標により前記地理領域を規定している方法。
[２]前記通信インターフェースを用いて、前記ワイヤレスネットワークの基地局を通して、前記データと前記トリガポリシーとを前記ＵＥに向けて転送することをさらに含む[１]記載の方法。
[３]前記ＵＥによって送信された前記信号測定値を受信することをさらに含み、前記信号測定値は、前記ＵＥが前記地理領域内に存在しているときに、前記ＵＥによって測定された前記ワイヤレスネットワークの信号の強度または品質を含む[１]記載の方法。
[４]前記トリガポリシーは、前記ＵＥに対する明示的なコマンド、または、前記地理領域を規定している前記データを前記ＵＥに向けて転送することに基づく暗黙的なコマンドである[１]記載の方法。
[５]前記トリガポリシーは、前記ＵＥが前記地理領域内に存在していることに加えて、前記ワイヤレスネットワークの信号測定値を前記ＵＥに記録またはログ記録をさせる際の１つ以上の条件を指定し、
前記１つ以上の条件は、利用可能なバッテリーのエネルギー、利用可能な記憶容量、利用可能なメモリ容量、または時間を含む[１]記載の方法。
[６]前記通信インターフェースを用いて、前記ワイヤレスネットワークに関連するワイヤレス管理ネットワークから、前記地理領域を規定している前記データを取得することをさらに含む[１]記載の方法。
[７]地理ポジショニングシステム（ＧＰＳ）の座標、または、
地理的な、緯度および経度の座標、のうちの少なくとも１つを前記地理座標に対して用いることをさらに含む[１]記載の方法。
[８]前記ワイヤレスネットワークの拡張制御プレーンプロトコルを用いて、前記地理領域を規定している前記データを、または、前記トリガポリシーを規定している前記データを前記ＵＥに向けて転送することをさらに含む[１]記載の方法。
[９]前記地理領域を規定している前記データを、または、前記トリガポリシーを規定している前記データを含めて、前記ＵＥに向けて転送するように構成されている、前記ワイヤレスネットワークのユーザプレーンプロトコルを用いることをさらに含む[１]記載の方法。
[１０]ネットワークサーバアプリケーションを開始して、前記地理領域を規定している前記データを、または、前記トリガポリシーを規定している前記データを、含む１セットのユーザプレーンデータパケットを発生させ、前記１セットのユーザプレーンデータパケットを前記ＵＥに送り、前記１セットの信号測定値を含む１セットのアップロードされたデータパケットを前記ＵＥから受信することをさらに含む[９]記載の方法。
[１１]報告領域を規定している１セットのデータを前記ＵＥに向けて転送することをさらに含み、前記ＵＥが前記報告領域内に存在しているときのみ、前記ＵＥは、前記１セットの信号測定値をアップロードする[１]記載の方法。
[１２]ワイヤレス通信のために構成されている装置において、
ワイヤレス管理ネットワークとの、および、ワイヤレストランシーバとの電子通信のための通信インターフェースと、
前記ワイヤレストランシーバを通して、ユーザ機器（ＵＥ）にデータを送るための、および、ユーザ機器（ＵＥ）からデータを受信するためのワイヤレスプロトコルを記憶するメモリと、
前記ワイヤレスプロトコルを実現するように構成されているモジュールを実行するデータプロセッサとを具備し、
前記モジュールは、
地理領域を規定している１セットの地理データと、報告領域を規定している１セットの報告データとを、取得または発生させるデータ管理モジュールと、
前記ワイヤレストランシーバを通して、前記１セットの地理データと前記１セットの報告データとを前記ＵＥに送り、前記ＵＥが前記地理領域内に存在しているときにワイヤレスネットワーク信号の１セットの測定値を前記ＵＥに記録させ、そして前記ＵＥが前記報告領域内に存在しているときに前記１セットの測定値を前記ＵＥにアップロードさせるコマンドモジュールとを備える装置。
[１３]前記ワイヤレストランシーバが前記報告領域内に存在している場合、前記ワイヤレストランシーバを通して、前記１セットの測定値を前記ＵＥから取得する受信モジュールをさらに備える[１２]記載の装置。
[１４]前記地理領域を規定している前記１セットの地理データは、
グローバルポジショニングシステム（ＧＰＳ）の座標、
緯度および経度の座標、または、
ワイヤレスネットワークの１セットの基地局の識別子、のうちの少なくとも１つを含む[１２]記載の装置。
[１５]前記報告領域を規定している前記１セットの報告データは、
グローバルポジショニングシステムの座標、
緯度および経度の座標、または、
前記ワイヤレストランシーバの基地局の識別子をオプション的に含む１セットの基地局の識別子、のうちの少なくとも１つを含む[１２]記載の装置。
[１６]前記１セットの報告データは、好ましい報告領域とデフォルト報告領域とを規定しており、さらに、
好ましい報告時間の満了の前には、前記ＵＥが前記好ましい報告領域内に存在している以外は、前記ＵＥは、前記１セットの測定値をアップロードすることをやめ、
前記好ましい報告時間が満了している場合には、前記ＵＥは、前記デフォルト報告領域内のどこかに存在していれば、前記１セットの測定値をアップロードする[１２]記載の装置。
[１７]前記コマンドモジュールは、前記１セットの地理データと前記１セットの報告データとを、アプリケーションデータパケットに埋め込み、ユーザプレーンプロトコルを用いて、前記アプリケーションデータパケットを前記ＵＥに送るサーバアプリケーションをさらに備える[１２]記載の装置。
[１８]前記コマンドモジュールは、制御プレーンプロトコルを用いて、前記１セットの地理データと前記１セットの報告データとを前記ＵＥに送る[１２]記載の装置。
[１９]前記コマンドモジュールは、
前記ワイヤレストランシーバとのアクティブなワイヤレス接続を前記ＵＥが有している場合には、ユニキャストメッセージを用いて、前記１セットの地理データと前記１セットの報告データとを前記ＵＥに送る、または、
前記ＵＥがアイドル状態中である場合には、ブロードキャストメッセージを用いて、前記１セットの地理データと前記１セットの報告データとを前記ＵＥに送る[１８]記載の装置。
[２０]前記ＵＥのロケーション識別能力を決定するために前記ＵＥに問い合わせて、前記ロケーション識別能力に関する応答を前記ＵＥから取得するバージョンモジュールをさらに備える[１２]記載の装置。
[２１]前記データ管理モジュールは、前記１セットの地理データを、前記ＵＥのロケーション識別能力と一致したフォーマットに変換する[２０]記載の装置。
[２２]前記フォーマットは、
前記ＵＥのロケーション識別能力がＧＰＳ解析を含む場合には、ＧＰＳの座標、
前記ＵＥのロケーション識別能力が緯度および経度の解析を含む場合には、緯度および経度の座標、または、
前記ＵＥのロケーション識別能力がネットワークベースのポジショニングに限定される場合には、前記地理領域の少なくともサブセットを担当する１セットの基地局ＩＤ、のうちの少なくとも１つを含む[２１]記載の装置。
[２３]ワイヤレス通信のために構成されている装置において、
通信インターフェースを用いて、ワイヤレスネットワーク内で動作しているユーザ機器（ＵＥ）に向けて、地理領域を規定しているデータを転送する手段と、
前記ＵＥが前記地理領域内に存在しているときに前記ワイヤレスネットワークの信号測定値を前記ＵＥに記録またはログ記録をさせ、前記ＵＥに１セットの信号測定値を発生させるトリガポリシーを、前記通信インターフェースを用いて前記ＵＥに向けて転送する手段とを具備し、
前記データは、ワイヤレスネットワークインフラストラクチャから独立して前記地理領域を規定している装置。
[２４]ワイヤレス通信のために構成されている少なくとも１つのデータプロセッサにおいて、
ワイヤレスネットワーク内で動作しているユーザ機器（ＵＥ）に向けて、地理領域を規定しているデータを転送するモジュールと、
前記ＵＥが前記地理領域内に存在しているときに前記ワイヤレスネットワークの信号測定値を前記ＵＥに記録またはログ記録をさせ、前記ＵＥに１セットの信号測定値を発生させるトリガポリシーを、前記ＵＥに向けて転送するモジュールとを具備し、
前記データは、ワイヤレスネットワークインフラストラクチャから独立して前記地理領域を規定している少なくとも１つのデータプロセッサ。
[２５]コンピュータプログラムプロダクトにおいて、
ワイヤレスネットワーク内で動作しているユーザ機器（ＵＥ）に向けて、地理領域を規定しているデータをコンピュータに転送させるためのコードと、
前記ＵＥが前記地理領域内に存在しているときに前記ワイヤレスネットワークの信号測定値を前記ＵＥに記録またはログ記録をさせ、前記ＵＥに１セットの信号測定値を発生させるトリガポリシーを、前記ＵＥに向けて前記コンピュータに転送させるためのコードとを含むコンピュータ読み取り可能媒体を具備し、
前記データは、ワイヤレスネットワークインフラストラクチャから独立して前記地理領域を規定しているコンピュータプログラムプロダクト。
[２６]ワイヤレス通信の方法において、
ワイヤレストランシーバを用いて、ワイヤレスネットワークの基地局インフラストラクチャから独立して地理領域を規定している１セットの地理データを取得することと、
データプロセッサを用いて、ユーザ機器（ＵＥ）のロケーションを示しているデータを解析し、前記ロケーションを前記地理領域と比較することと、
前記ＵＥが前記地理領域内に存在している場合には、前記データプロセッサを用いて、前記ワイヤレスネットワークの信号解析測定を開始し、ワイヤレスネットワークにアップロードするために１セットの信号測定値を記録することとを含む方法。
[２７]前記１セットの信号測定値をアップロードするために、前記ワイヤレスネットワークの報告領域を規定している１セットの報告データを取得することをさらに含む[２６]記載の方法。
[２８]前記ＵＥが前記報告領域内に存在している以外は、前記１セットの信号測定値を前記ワイヤレスネットワークにアップロードすることをやめることをさらに含む[２７]記載の方法。
[２９]前記報告領域は、好ましい報告領域と、好ましい報告時間とを含み、前記好ましい報告時間が満了していない場合には、前記ＵＥが前記報告領域内に存在している以外は、前記１セットの信号測定値をアップロードすることをやめることをさらに含む[２７]記載の方法。
[３０]前記好ましい報告時間が満了している場合には、前記ワイヤレスネットワーク内のどこかに存在していれば、前記１セットの信号測定値をアップロードすることをさらに含む[２９]記載の方法。
[３１]前記ＵＥのロケーションを示しているデータは、前記ＵＥを担当している基地局の識別子（ＩＤ）を含み、さらに、前記地理領域を規定している前記１セットの地理データは、前記ワイヤレスネットワークの１セットの基地局ＩＤを含む[２７]記載の方法。
[３２]前記ワイヤレスネットワークの信号を測定することは、
信号強度、
信号強度の品質
信号ピークレベルにおける品質、
コールドロップレート、
セットアップ成功レート、または、
スループット、のうちの少なくとも１つを測定することをさらに含む[２６]記載の方法。
[３３]前記１セットの地理データを取得するために、制御プレーンプロトコルを用いることをさらに含む[２６]記載の方法。
[３４]前記ＵＥをターゲットとしたユニキャストメッセージ内の前記１セットの地理データを、または、前記ＵＥがアイドル状態中の場合にはブロードキャストメッセージ内の前記１セットの地理データを、取得することをさらに含む[３３]記載の方法。
[３５]前記１セットの地理データを取得するために、ユーザプレーンプロトコルを用いることをさらに含み、前記１セットの地理データは、ネットワークサーバによって発生された１つ以上のデータパケットのペイロード内に含まれている[２６]記載の方法。
[３６]クライアントアプリケーションを用いて、前記１セットの地理データを前記１つ以上のデータパケットから抽出することをさらに含み、前記データプロセッサは、少なくとも、前記ロケーションを前記地理領域と比較するための、前記クライアントアプリケーションの命令と、前記ワイヤレスネットワークの信号解析測定を開始するための、前記クライアントアプリケーションの命令とを実行する[３５]記載の方法。
[３７]ワイヤレス通信のために構成されている装置において、
ワイヤレストランシーバを用いて、地理領域を規定している１セットの地理データと報告領域を規定している１セットの報告データとを取得する通信インターフェースと、
前記装置のためにポジション依存信号解析を提供するように構成されているモジュールを記憶するメモリと、
前記モジュールを実行するデータプロセッサとを具備し、
前記地理領域は、前記報告領域と少なくとも部分的に異なっており、
前記モジュールは、
受信したワイヤレス信号のデータ解析を実行する測定モジュールと
前記装置のポジションロケーションを提供するデータを監視し、前記ポジションロケーションを前記地理領域と比較する比較モジュールと、
前記ポジションロケーションが前記地理領域内に存在しているときに、前記ダウンリンク信号の解析を前記測定モジュールに開始させるトリガモジュールとを備える装置。
[３８]前記ポジションロケーションが前記地理領域の外に存在しているときに、前記ダウンリンク信号の解析を前記測定モジュールに終了させる終了モジュールとをさらに備える[３７]記載の装置。
[３９]前記装置のポジションロケーションを提供するデータを取得または発生させるポジショニングモジュールをさらに備える[３７]記載の装置。
[４０]前記ポジショニングモジュールは、前記装置のポジションロケーションを提供するデータに対するグローバルポジショニングの座標を提供するグローバルポジショニングシステム（ＧＰＳ）デバイスのクライアントアプリケーションを備える[３９]記載の装置。
[４１]前記ポジショニングモジュールは、前記装置のポジションロケーションを提供するデータに対する緯度および経度の座標を提供するナビゲーションデバイスのクライアントアプリケーションを備える[３９]記載の装置。
[４２]前記ポジショニングモジュールは、担当基地局の基地局識別子（基地局ＩＤ）を用いて、前記装置のポジションロケーションを前記基地局ＩＤから推測する[３９]記載の装置。
[４３]前記比較モジュールは、前記ポジションロケーションを前記報告領域とさらに比較して、前記装置が前記報告領域内に存在しているか否かを決定する[３７]記載の装置。
[４４]前記装置が前記報告領域内に存在している場合には、前記データ解析から導出された１セットの信号解析データをアップロードする報告モジュールをさらに備える[４３]記載の装置。
[４５]前記報告領域は、好ましい報告領域と、デフォルト報告領域と、オプション的に好ましい報告時間とを含む[４３]記載の装置。
[４６]前記報告モジュールは、
前記装置が前記好ましい報告領域内に存在している場合には、前記データ解析の結果をアップロードするか、または、
前記装置が前記好ましい報告領域内に存在していない場合には、前記好ましい報告時間が満了していて、前記装置が前記デフォルト報告領域内に存在している以外は、前記データ解析の結果をアップロードすることをやめるか、のうちの少なくとも１つを実行する[４５]記載の装置。
[４７]前記通信インターフェースが、前記１セットの地理データと前記１セットの報告データとを、ワイヤレスネットワークの制御プレーンプロトコルから取得するか、または、
前記装置が、ユーザプレーンプロトコルを用いて、ネットワークサーバアプリケーションとインターフェースし、アップリンクユーザプレーンデータパケットを発生させて、前記データ解析の結果を前記ネットワークサーバアプリケーションに送るクライアントアプリケーションをさらに備え、前記クライアントアプリケーションは、前記１セットの地理データまたは前記１セットの報告データを、前記ネットワークサーバアプリケーションによって提供されるユーザプレーンデータパケット内から抽出するか、のうちの少なくとも１つである[３７]記載の装置。
[４８]ワイヤレス通信のための装置において、
ワイヤレストランシーバを用いて、ワイヤレスネットワークの基地局インフラストラクチャから独立して地理領域を規定している１セットの地理データを取得する手段と、
データプロセッサを用いて、ユーザ機器（ＵＥ）のロケーションを示しているデータを解析し、前記ロケーションを前記地理領域と比較する手段と、
前記ＵＥが前記地理領域内に存在している場合には、前記データプロセッサを用いて、前記ワイヤレスネットワークの信号解析測定を開始し、ワイヤレスネットワークにアップロードするための１セットの信号測定値を記録させる手段とを具備する装置。
[４９]ワイヤレス通信のために構成されている少なくとも１つのプロセッサにおいて、
ワイヤレスネットワークの基地局インフラストラクチャから独立して地理領域を規定している１セットの地理データを取得するモジュールと、
ユーザ機器（ＵＥ）のロケーションを示しているデータを解析し、前記ロケーションを前記地理領域と比較するモジュールと、
前記ＵＥが前記地理領域内に存在している場合には、前記ワイヤレスネットワークの信号解析測定を開始して、ワイヤレスネットワークにアップロードするための１セットの信号測定値を記録するモジュールとを具備する少なくとも１つのプロセッサ。
[５０]コンピュータプログラムプロダクトにおいて、
ワイヤレスネットワークの基地局インフラストラクチャから独立して地理領域を規定している１セットの地理データをコンピュータに取得させるためのコードと、
ユーザ機器（ＵＥ）のロケーションを示しているデータを前記コンピュータに解析させ、前記ロケーションを前記地理領域と比較させるためのコードと、
、
前記ＵＥが前記地理領域内に存在している場合には、前記ワイヤレスネットワークの信号解析測定を前記コンピュータに開始させ、ワイヤレスネットワークにアップロードするための１セットの信号測定値を記録させるためのコードとを含む、コンピュータ読み取り可能媒体を具備するコンピュータプログラムプロダクト。
【図１】
0005653938.tif 000002
【図２】
0005653938.tif 000003
【図３】
0005653938.tif 000004
【図４】
0005653938.tif 000005
【図５】
0005653938.tif 000006
【図６】
0005653938.tif 000007
【図７】
0005653938.tif 000008
【図８】
0005653938.tif 000009
【図９】
0005653938.tif 000010
【図１０】
0005653938.tif 000011
【図１１】
0005653938.tif 000012
【図１２】
0005653938.tif 000013
【図１３】
0005653938.tif 000014
【図１４】
0005653938.tif 000015
【図１５】
0005653938.tif 000016
【図１６】
0005653938.tif 000017
【図１７】
0005653938.tif 000018